(57)【要約】本発明の実施は、データ処理方法、通信ボード、およびデバイスを提供する。前記方法は、第１の通信ボードによって、光チャネルデータユニット（ＯＤＵ）データフローを獲得すること、第１の通信ボードによって、前記ＯＤＵデータフロー中の連続したＯＤＵデータのセクションを含む種々のスライスを取得するために、固定フレーム周波数に従ってＯＤＵデータフローにスライス処理を行うこと、第１の通信ボードによって、各スライスをイーサネットフレームに個別にカプセル化すること、第１の通信ボードによって、各イーサネットフレームをイーサネットスイッチチップ内の時分割多重（ＴＤＭ）サービススイッチモジュールに送出すること、それによりＴＤＭサービススイッチモジュールが、各イーサネットフレームを、イーサネットフレームによって担持される宛先ＭＡＣアドレスが指し示す第２の通信ボードに送出することを含む。
2016502824.tif 000002
【特許請求の範囲】
【請求項１】
第２の通信ボードと同じデバイス上に位置する第１の通信ボードに適用されるデータ処理方法であって、
前記第１の通信ボードによって、光チャネルデータユニットＯＤＵデータフローを獲得するステップと、
前記第１の通信ボードによって、様々なスライスを取得するために固定フレーム周波数に従って前記ＯＤＵデータフローにスライス処理を行うステップであって、各スライスは前記ＯＤＵデータフローにおける連続したＯＤＵデータのセクションを備える、ステップと、
前記第１の通信ボードによって、各スライスをイーサネットフレームに別々にカプセル化するステップであって、前記イーサネットフレームは少なくとも宛先メディアアクセス制御ＭＡＣアドレスおよびペイロード領域を担持し、前記宛先ＭＡＣアドレスは前記第２の通信ボードを指し示し、前記ペイロード領域は前記スライス内の前記ＯＤＵデータおよび前記スライスのシリアル番号を記憶するために用いられる、ステップと、
前記第１の通信ボードによって各イーサネットフレームを、イーサネットスイッチングチップ内の時分割多重ＴＤＭサービススイッチングモジュールに送出し、それにより前記ＴＤＭサービススイッチングモジュールは各イーサネットフレームを、前記イーサネットフレーム内に担持される前記宛先ＭＡＣアドレスが指し示す前記第２の通信ボードに送出するステップと
を含むことを特徴とする方法。
【請求項２】
前記第１の通信ボードのイーサネットインターフェースおよび前記第２の通信ボードのイーサネットインターフェースは共に、少なくとも１つのイーサネットサブインターフェースを備え、各イーサネットサブインターフェースは一意のＭＡＣアドレスを有し、前記第１の通信ボードおよび前記第２の通信ボードの前記イーサネットサブインターフェースは、前記イーサネットスイッチングチップ内の前記ＴＤＭサービススイッチングモジュールに接続され、
前記第１の通信ボードによって各イーサネットフレームを、イーサネットスイッチングチップ内のＴＤＭサービススイッチングモジュールに送出し、それにより前記ＴＤＭサービススイッチングモジュールは各イーサネットフレームを、前記イーサネットフレーム内に担持される前記宛先ＭＡＣアドレスが指し示す前記第２の通信ボードに送出する前記ステップは、
前記第１の通信ボードによって各イーサネットフレームを、前記第１の通信ボード上の前記少なくとも１つのイーサネットサブインターフェースを通して、前記イーサネットスイッチングチップ内の前記ＴＤＭサービススイッチングモジュールに送出し、それにより前記ＴＤＭサービススイッチングモジュールは各イーサネットフレームを、前記イーサネットフレーム内に担持される前記宛先ＭＡＣアドレスが指し示す前記第２の通信ボードのイーサネットサブインターフェースに送出するステップを含むことを特徴とする請求項１に記載の方法。
【請求項３】
第２の通信ボードによって、イーサネットスイッチングチップ内の時分割多重ＴＤＭサービススイッチングモジュールによって送出されたイーサネットフレームを受信するステップであって、各イーサネットフレームは宛先メディアアクセス制御ＭＡＣアドレスおよびペイロード領域を担持し、前記宛先ＭＡＣアドレスは前記第２の通信ボードを指し示し、前記ペイロード領域はスライス内の光チャネルデータユニットＯＤＵデータおよび前記スライスのシリアル番号を記憶するために用いられる、ステップと、
前記第２の通信ボードによって、イーサネットフレームをカプセル化解除して前記スライスの前記シリアル番号を取得するステップと、
前記第２の通信ボードによって、前記スライスの前記シリアル番号に従って、各スライス内の前記ＯＤＵデータを順番に配置するステップと、
前記第２の通信ボードによって、固定フレーム周波数に従って、前記順番に配置された、各スライス内のＯＤＵデータをＯＤＵデータフローに復元するステップであって、前記固定フレーム周波数はスライス処理において採用された固定フレーム周波数である、ステップと
を含むことを特徴とするデータ処理方法。
【請求項４】
前記第２の通信ボードのイーサネットインターフェースは、少なくとも１つのイーサネットサブインターフェースを備え、各イーサネットサブインターフェースは一意のＭＡＣアドレスを有し、前記第２の通信ボードの前記イーサネットサブインターフェースは、前記イーサネットスイッチングチップ内の前記ＴＤＭサービススイッチングモジュールに接続され、
第２の通信ボードによって、イーサネットスイッチングチップ内の前記ＴＤＭサービススイッチングモジュールによって送出されたイーサネットフレームを受信する前記ステップは、
前記第２の通信ボードによって、前記イーサネットサブインターフェースから、前記イーサネットスイッチングチップ内の前記ＴＤＭサービススイッチングモジュールによって送出されたイーサネットフレームを受信するステップを含むことを特徴とする請求項３に記載の方法。
【請求項５】
光チャネルデータユニットＯＤＵデータフローを獲得するように構成された獲得ユニットと、
様々なスライスを取得するために固定フレーム周波数に従って前記ＯＤＵデータフローにスライス処理を行うように構成されたスライスユニットであって、各スライスは前記ＯＤＵデータフローにおける連続したＯＤＵデータのセクションを備える、スライスユニットと、
各スライスをイーサネットフレームに別々にカプセル化するように構成されたカプセル化ユニットであって、前記イーサネットフレームは少なくとも宛先メディアアクセス制御ＭＡＣアドレスおよびペイロード領域を担持し、前記宛先ＭＡＣアドレスは第２の通信ボードを指し示し、前記ペイロード領域は前記スライス内の前記ＯＤＵデータおよび前記スライスのシリアル番号を記憶するために用いられる、カプセル化ユニットと、
各イーサネットフレームを、イーサネットスイッチングチップ内の時分割多重ＴＤＭサービススイッチングモジュールに送出するように構成され、それにより前記ＴＤＭサービススイッチングモジュールは各イーサネットフレームを、前記イーサネットフレーム内に担持される前記宛先ＭＡＣアドレスが指し示す前記第２の通信ボードに送出する、送出ユニットであって、前記イーサネットスイッチングチップは、パケットサービスにスイッチング処理を行うように構成されたパケットサービススイッチングモジュールをさらに備える、送出ユニットと
を備えることを特徴とする通信ボード。
【請求項６】
前記通信ボードのイーサネットインターフェースは、少なくとも１つのイーサネットサブインターフェースを備え、各イーサネットサブインターフェースは一意のＭＡＣアドレスを有し、前記通信ボードの前記イーサネットサブインターフェースは、前記イーサネットスイッチングチップ内の前記ＴＤＭサービススイッチングモジュールに接続され、
前記送出ユニットは各イーサネットフレームを、前記少なくとも１つのイーサネットサブインターフェースを通して、前記イーサネットスイッチングチップ内の前記ＴＤＭサービススイッチングモジュールに送出するように特に構成されることを特徴とする請求項５に記載の通信ボード。
【請求項７】
前記通信ボードは、ＴＤＭサービス処理モジュールを有するＴＤＭサービスボード、またはＴＤＭサービス処理モジュールを有するＯＴＮラインボードであることを特徴とする請求項５に記載の通信ボード。
【請求項８】
イーサネットスイッチングチップ内の時分割多重ＴＤＭサービススイッチングモジュールによって送出されたイーサネットフレームを受信するように構成された受信ユニットであって、各イーサネットフレームは少なくとも宛先メディアアクセス制御ＭＡＣアドレスおよびペイロード領域を担持し、前記宛先ＭＡＣアドレスは第２の通信ボードを指し示し、前記ペイロード領域はスライス内の光チャネルデータユニットＯＤＵデータおよび前記スライスのシリアル番号を記憶するために用いられる、受信ユニットと、
イーサネットフレームをカプセル化解除して、前記スライスの前記シリアル番号および前記スライス内の前記ＯＤＵデータを取得するように構成されたカプセル化解除ユニットと、
前記スライスの前記シリアル番号に従って、前記スライス内の前記ＯＤＵデータを順番に配置するように構成されたソートユニットと、
前記順番に配置された、前記スライス内のＯＤＵデータを、固定フレーム周波数に従ってＯＤＵデータフローに復元するように構成された復元処理ユニットであって、前記固定フレーム周波数はスライス処理において採用された固定フレーム周波数である、復元処理ユニットと
を備えることを特徴とする通信ボード。
【請求項９】
前記通信ボードのイーサネットインターフェースは少なくとも１つのイーサネットサブインターフェースを備え、各イーサネットサブインターフェースは一意のＭＡＣアドレスを有し、前記通信ボードの前記イーサネットサブインターフェースは、前記イーサネットスイッチングチップ内の前記ＴＤＭサービススイッチングモジュールに接続され、
前記受信ユニットは、前記イーサネットサブインターフェースから、前記イーサネットスイッチングチップ内の前記ＴＤＭサービススイッチングモジュールによって送出されたイーサネットフレームを受信するように特に構成されることを特徴とする請求項８に記載の通信ボード。
【請求項１０】
前記通信ボードは、ＴＤＭサービス処理モジュールを有するＴＤＭサービスボード、またはＴＤＭサービス処理モジュールを有するＯＴＮラインボードであることを特徴とする請求項８に記載の通信ボード。
【請求項１１】
イーサネットインターフェースを有するパケットサービスボードと、
それぞれがイーサネットインターフェースを有する、第１の通信ボードおよび第２の通信ボードと、
パケットサービススイッチングモジュールおよび時分割多重ＴＤＭサービススイッチングモジュールを備えるイーサネットスイッチングチップであって、前記パケットサービススイッチングモジュールは、前記パケットサービスボードの前記イーサネットインターフェースに接続され、前記ＴＤＭサービススイッチングモジュールは、前記第１の通信ボードおよび前記第２の通信ボードの前記イーサネットインターフェースに接続される、イーサネットスイッチングチップと
を備え、
前記パケットサービスボードは、前記パケットサービススイッチングモジュールにパケットサービスデータを送出する、または前記パケットサービススイッチングモジュールによって送出されたパケットサービスデータを受信する、またはパケットサービスデータに処理を行うように構成され、
前記イーサネットスイッチングチップ内の前記パケットサービススイッチングモジュールは、前記パケットサービスボードによって送出されたパケットサービスデータを受信し、前記パケットサービスデータを目標パケットサービスボードに送出するように構成され、
前記第１の通信ボードは、光チャネルデータユニットＯＤＵデータフローを獲得すること、様々なスライスを取得するために固定フレーム周波数に従って前記ＯＤＵデータフローにスライス処理を行うことであって、各スライスは前記ＯＤＵデータフローにおける連続したＯＤＵデータのセクションを備える、スライス処理を行うこと、各スライスをイーサネットフレームに別々にカプセル化することであって、各イーサネットフレームは少なくとも宛先メディアアクセス制御ＭＡＣアドレスおよびペイロード領域を担持し、前記宛先ＭＡＣアドレスは前記第２の通信ボードを指し示し、前記ペイロード領域は前記スライス内の前記ＯＤＵデータおよび前記スライスのシリアル番号を記憶するために用いられる、カプセル化すること、および各イーサネットフレームを前記ＴＤＭサービススイッチングモジュールに送出すること、を行うように構成され、
前記イーサネットスイッチングチップ内の前記ＴＤＭサービススイッチングモジュールは、前記第１の通信ボードによって送出されたイーサネットフレームを受信し、前記イーサネットフレームを、前記イーサネットフレーム内に担持される前記宛先ＭＡＣアドレスが指し示す前記第２の通信ボードに送出するように構成され、
前記第２の通信ボードは、前記イーサネットスイッチングチップ内の前記ＴＤＭサービススイッチングモジュールによって送出されたイーサネットフレームを受信し、イーサネットフレームをカプセル化解除して前記スライスの前記シリアル番号および前記スライス内の前記ＯＤＵデータを取得し、前記スライスの前記シリアル番号に従って前記スライス内の前記ＯＤＵデータを順番に配置し、前記順番に配置された、前記スライス内のＯＤＵデータを、固定フレーム周波数に従ってＯＤＵデータフローに復元するように構成され、前記固定フレーム周波数はスライス処理において採用された固定フレーム周波数であることを特徴とするデータスイッチングデバイス。
【請求項１２】
前記第１の通信ボードの前記イーサネットインターフェースは少なくとも１つのイーサネットサブインターフェースを備え、各イーサネットサブインターフェースは一意のＭＡＣアドレスを有し、前記イーサネットサブインターフェースは、前記イーサネットスイッチングチップ内の前記ＴＤＭサービススイッチングモジュールに接続され、
前記第１の通信ボードは各イーサネットフレームを、前記少なくとも１つのイーサネットサブインターフェースを通して、前記イーサネットスイッチングチップ内の前記ＴＤＭサービススイッチングモジュールに送出するように特に構成されることを特徴とする請求項１１に記載のデータスイッチングデバイス。
【請求項１３】
前記第２の通信ボードの前記イーサネットインターフェースは少なくとも１つのイーサネットサブインターフェースを備え、各イーサネットサブインターフェースは一意のＭＡＣアドレスを有し、前記イーサネットサブインターフェースは、前記イーサネットスイッチングチップ内の前記ＴＤＭサービススイッチングモジュールに接続され、
前記第２の通信ボードは、前記イーサネットサブインターフェースから、前記イーサネットスイッチングチップ内の前記ＴＤＭサービススイッチングモジュールによって送出された各イーサネットフレームを受信するように特に構成されることを特徴とする請求項１１に記載のデータスイッチングデバイス。
【請求項１４】
前記第１の通信ボードは、ＴＤＭサービス処理モジュールを有するＴＤＭサービスボード、またはＴＤＭサービス処理モジュールを有するＯＴＮラインボードであり、
前記第２の通信ボードは、ＴＤＭサービス処理モジュールを有するＴＤＭサービスボード、またはＴＤＭサービス処理モジュールを有するＯＴＮラインボードであることを特徴とする請求項１１に記載のデータスイッチングデバイス。
【請求項１５】
光チャネルデータユニットＯＤＵデータフローを獲得するように構成された受信機と、
様々なスライスを取得するために固定フレーム周波数に従って前記ＯＤＵデータフローにスライス処理を行うように構成されたプロセッサであって、各スライスは前記ＯＤＵデータフローにおける連続したＯＤＵデータのセクションを備え、
前記プロセッサは、各スライスをイーサネットフレームに別々にカプセル化するようにさらに構成され、各イーサネットフレームは少なくとも宛先メディアアクセス制御ＭＡＣアドレスおよびペイロード領域を担持し、前記宛先ＭＡＣアドレスは第２の通信ボードを指し示し、前記ペイロード領域は前記スライス内の前記ＯＤＵデータおよび前記スライスのシリアル番号を記憶するために用いられる、プロセッサと、
各イーサネットフレームを、イーサネットスイッチングチップ内の時分割多重ＴＤＭサービススイッチングモジュールに送出するように構成され、それにより前記ＴＤＭサービススイッチングモジュールは各イーサネットフレームを、前記イーサネットフレーム内に担持される前記宛先ＭＡＣアドレスが指し示す前記第２の通信ボードに送出する、送信機であって、前記イーサネットスイッチングチップは、パケットサービスにスイッチング処理を行うように構成されたパケットサービススイッチングモジュールをさらに備える、送信機と
を備えることを特徴とする通信ボード。
【請求項１６】
前記通信ボードのイーサネットインターフェースは少なくとも１つのイーサネットサブインターフェースを備え、各イーサネットサブインターフェースは一意のＭＡＣアドレスを有し、前記通信ボードの前記イーサネットサブインターフェースは、前記イーサネットスイッチングチップ内の前記ＴＤＭサービススイッチングモジュールに接続され、
前記送信機は各イーサネットフレームを、前記少なくとも１つのイーサネットサブインターフェースを通して、前記イーサネットスイッチングチップ内の前記ＴＤＭサービススイッチングモジュールに送出するように特に構成されることを特徴とする請求項１５に記載の通信ボード。
【請求項１７】
前記通信ボードは、ＴＤＭサービス処理モジュールを有するＴＤＭサービスボード、またはＴＤＭサービス処理モジュールを有するＯＴＮラインボードであることを特徴とする請求項１５に記載の通信ボード。
【請求項１８】
時分割多重ＴＤＭサービススイッチングモジュールによって送出されたイーサネットフレームを受信するように構成された受信機であって、各イーサネットフレームは宛先メディアアクセス制御ＭＡＣアドレスおよびペイロード領域を担持し、前記宛先ＭＡＣアドレスは第２の通信ボードを指し示し、前記ペイロード領域はスライス内の光チャネルデータユニットＯＤＵデータおよび前記スライスのシリアル番号を記憶するために用いられる、受信機と、
イーサネットフレームをカプセル化解除して、前記スライスの前記シリアル番号および前記スライス内の前記ＯＤＵデータを取得するように構成されたプロセッサと
を備え、
前記プロセッサは、前記スライスの前記シリアル番号に従って、前記スライス内の前記ＯＤＵデータを順番に配置するようにさらに構成され、
前記プロセッサは、前記順番に配置された、前記スライス内のＯＤＵデータを、固定フレーム周波数に従ってＯＤＵデータフローに復元するようにさらに構成され、前記固定フレーム周波数はスライス処理において採用された固定フレーム周波数であることを特徴とする通信ボード。
【請求項１９】
前記通信ボードのイーサネットインターフェースは少なくとも１つのイーサネットサブインターフェースを備え、各イーサネットサブインターフェースは一意のＭＡＣアドレスを有し、前記通信ボードの前記イーサネットサブインターフェースは、前記イーサネットスイッチングチップ内の前記ＴＤＭサービススイッチングモジュールに接続され、
前記受信機は、前記イーサネットサブインターフェースから、前記イーサネットスイッチングチップ内の前記ＴＤＭサービススイッチングモジュールによって送出された各イーサネットフレームを受信するように特に構成されることを特徴とする請求項１８に記載の通信ボード。
【請求項２０】
前記通信ボードは、ＴＤＭサービス処理モジュールを有するＴＤＭサービスボード、またはＴＤＭサービス処理モジュールを有するＯＴＮラインボードであることを特徴とする請求項１８に記載の通信ボード。
【発明の詳細な説明】
【技術分野】
【０００１】
本発明は通信技術の分野に関し、特にデータ処理方法、通信ボードおよびデバイスに関する。
【背景技術】
【０００２】
パケットサービスおよび時分割多重（Ｔｉｍｅ−Ｄｉｖｉｓｉｏｎ  Ｍｕｌｔｉｐｌｅｘｉｎｇ、ＴＤＭ）サービスが光伝送ネットワーク（Ｏｐｔｉｃａｌ  Ｔｒａｎｓｐｏｒｔ  Ｎｅｔｗｏｒｋ、ＯＴＮ）において送信されるときに、パケットサービスおよびＴＤＭサービスを送信するために異なるＯＴＮデバイスが採用された場合は、パケットサービスとＴＤＭサービスは異なるデバイスを用いることによって切り換えられる必要があり、複雑なデバイス形態、およびデバイスリソースの無駄を生じる。
【０００３】
１つのデバイス上でパケットサービスおよびＴＤＭサービスを送信する問題を解決するために、従来技術ではＴＤＭサービスをパケットにカプセル化し、ＴＤＭサービスがカプセル化されたパケットを、パケットサービスがカプセル化されたパケットと一緒に送信することができる回路エミュレーションサービス（Ｃｉｒｃｕｉｔ  Ｅｍｕｌａｔｉｏｎ  Ｓｅｒｖｉｃｅ、ＣＥＳ）技術がもたらされる。しかしＴＤＭサービスおよびパケットサービスが一緒に送信されるときは、用いられる伝送経路は同じであるので、伝送プロセス時に同じデバイスを用いることによって、パケットサービスおよびＴＤＭサービスが別のデバイスに切り換えられるときには、パケットサービスにおける伝送遅延の不確かさによりパケットサービスによって要求される切り換え時間の不確かさは比較的大きく、ＴＤＭサービスは絶えず送信されなければならないという特性によりＴＤＭサービスはまた切り換え時間の不確かさを吸収するために大きなバッファを必要とし、それによってＴＤＭサービスの伝送遅延を増加させる。
【発明の概要】
【発明が解決しようとする課題】
【０００４】
本発明の実施形態は、ＴＤＭサービスの伝送遅延を低減することができるデータ処理方法、通信ボードおよびデバイスをもたらすことを目的とする。
【課題を解決するための手段】
【０００５】
本発明の上記の目的を達成するために、本発明では以下の技術的解決策が採用される。
【０００６】
第１の態様によれば、データ処理方法がもたらされ、
第１の通信ボードによって、光チャネルデータユニットＯＤＵデータフローを獲得するステップと、
第１の通信ボードによって、様々なスライスを取得するために固定フレーム周波数に従ってＯＤＵデータフローにスライス処理を行うステップであって、各スライスはＯＤＵデータフローにおける連続したＯＤＵデータのセクションを含む、ステップと、
第１の通信ボードによって、各スライスをイーサネットフレームに別々にカプセル化するステップであって、イーサネットフレームは少なくとも宛先メディアアクセス制御ＭＡＣアドレスおよびペイロード領域を担持し、宛先ＭＡＣアドレスは第２の通信ボードを指し示し、ペイロード領域はスライス内のＯＤＵデータおよびスライスのシリアル番号を記憶するために用いられる、ステップと、
第１の通信ボードによって各イーサネットフレームを、イーサネットスイッチングチップ内の時分割多重ＴＤＭサービススイッチングモジュールに送出し、それによりＴＤＭサービススイッチングモジュールは各イーサネットフレームを、イーサネットフレーム内に担持される宛先ＭＡＣアドレスが指し示す第２の通信ボードに送出するステップと
を含む。
【０００７】
第１の態様の第１の実施方法では、第１の通信ボードのイーサネットインターフェースおよび第２の通信ボードのイーサネットインターフェースは共に、少なくとも１つのイーサネットサブインターフェースを含み、各イーサネットサブインターフェースは一意のＭＡＣアドレスを有し、第１の通信ボードおよび第２の通信ボードのイーサネットサブインターフェースは、イーサネットスイッチングチップ内のＴＤＭサービススイッチングモジュールに接続され、
第１の通信ボードによって各イーサネットフレームを、イーサネットスイッチングチップ内のＴＤＭサービススイッチングモジュールに送出し、それによりＴＤＭサービススイッチングモジュールは各イーサネットフレームを、イーサネットフレーム内に担持される宛先ＭＡＣアドレスが指し示す第２の通信ボードに送出するステップは、
第１の通信ボードによって各イーサネットフレームを、第１の通信ボード上の少なくとも１つのイーサネットサブインターフェースを通して、イーサネットスイッチングチップ内のＴＤＭサービススイッチングモジュールに送出し、それによりＴＤＭサービススイッチングモジュールは各イーサネットフレームを、イーサネットフレーム内に担持される宛先ＭＡＣアドレスが指し示す第２の通信ボードのイーサネットサブインターフェースに送出するステップを含む。
【０００８】
第２の態様によれば、データ処理方法がもたらされ、
第２の通信ボードによって、イーサネットスイッチングチップ内の時分割多重ＴＤＭサービススイッチングモジュールによって送出された各イーサネットフレームを受信するステップであって、イーサネットフレームは少なくとも宛先メディアアクセス制御ＭＡＣアドレスおよびペイロード領域を担持し、宛先ＭＡＣアドレスは第２の通信ボードを指し示し、ペイロード領域はスライス内の光チャネルデータユニットＯＤＵデータおよびスライスのシリアル番号を記憶するために用いられる、ステップと、
第２の通信ボードによって、イーサネットフレームをカプセル化解除してスライスのシリアル番号およびスライス内のＯＤＵデータを取得するステップと、
第２の通信ボードによって、スライスのシリアル番号に従って、スライス内のＯＤＵデータを順番に配置するステップと、
第２の通信ボードによって、固定フレーム周波数に従って、順番に配置された、スライス内のＯＤＵデータをＯＤＵデータフローに復元するステップであって、固定フレーム周波数はスライス処理において採用された固定フレーム周波数である、ステップと
を含む。
【０００９】
第２の態様の第１の実施方法では、第２の通信ボードのイーサネットインターフェースは、少なくとも１つのイーサネットサブインターフェースを備え、各イーサネットサブインターフェースは一意のＭＡＣアドレスを有し、第２の通信ボードのイーサネットサブインターフェースは、イーサネットスイッチングチップ内のＴＤＭサービススイッチングモジュールに接続され、
第２の通信ボードによって、イーサネットスイッチングチップ内のＴＤＭサービススイッチングモジュールによって送出された各イーサネットフレームを受信するステップは、
第２の通信ボードによって、イーサネットサブインターフェースから、イーサネットスイッチングチップ内のＴＤＭサービススイッチングモジュールによって送出された各イーサネットフレームを受信するステップを含む。
【００１０】
第３の態様によれば、通信ボードがもたらされ、
光チャネルデータユニットＯＤＵデータフローを獲得するように構成された獲得ユニットと、
様々なスライスを取得するために固定フレーム周波数に従ってＯＤＵデータフローにスライス処理を行うように構成されたスライスユニットであって、各スライスはＯＤＵデータフローにおける連続したＯＤＵデータのセクションを含む、スライスユニットと、
各スライスをイーサネットフレームに別々にカプセル化するように構成されたカプセル化ユニットであって、イーサネットフレームは少なくとも宛先メディアアクセス制御ＭＡＣアドレスおよびペイロード領域を担持し、ペイロード領域はスライス内のＯＤＵデータおよびスライスのシリアル番号を記憶するために用いられる、カプセル化ユニットと、
各イーサネットフレームを、イーサネットスイッチングチップ内の時分割多重ＴＤＭサービススイッチングモジュールに送出するように構成され、それによりＴＤＭサービススイッチングモジュールは各イーサネットフレームを、イーサネットフレーム内に担持される宛先ＭＡＣアドレスが指し示す第２の通信ボードに送出する、送出ユニットであって、イーサネットスイッチングチップは、パケットサービスにスイッチング処理を行うように構成されたパケットサービススイッチングモジュールをさらに含む、送出ユニットと
を含む。
【００１１】
第３の態様の第１の実施方法では、通信ボードのイーサネットインターフェースは、少なくとも１つのイーサネットサブインターフェースを含み、各イーサネットサブインターフェースは一意のＭＡＣアドレスを有し、通信ボードのイーサネットサブインターフェースは、イーサネットスイッチングチップ内のＴＤＭサービススイッチングモジュールに接続され、
送出ユニットは各イーサネットフレームを、少なくとも１つのイーサネットサブインターフェースを通して、イーサネットスイッチングチップ内のＴＤＭサービススイッチングモジュールに送出するように特に構成される。
【００１２】
第４の態様によれば、通信ボードがもたらされ、
イーサネットスイッチングチップ内の時分割多重ＴＤＭサービススイッチングモジュールによって送出された各イーサネットフレームを受信するように構成された受信ユニットであって、イーサネットフレームは少なくとも宛先メディアアクセス制御ＭＡＣアドレスおよびペイロード領域を担持し、宛先ＭＡＣアドレスは第２の通信ボードを指し示し、ペイロード領域はスライス内の光チャネルデータユニットＯＤＵデータおよびスライスのシリアル番号を記憶するために用いられる、受信ユニットと、
イーサネットフレームをカプセル化解除して、スライスのシリアル番号およびスライス内のＯＤＵデータを取得するように構成されたカプセル化解除ユニットと、
スライスのシリアル番号に従って、スライス内のＯＤＵデータを順番に配置するように構成されたソートユニットと、
順番に配置された、スライス内のＯＤＵデータを、固定フレーム周波数に従ってＯＤＵデータフローに復元するように構成された復元処理ユニットであって、固定フレーム周波数はスライス処理において採用された固定フレーム周波数である、復元処理ユニットと
を含む。
【００１３】
第４の態様の第１の実施方法では、通信ボードのイーサネットインターフェースは、少なくとも１つのイーサネットサブインターフェースを含み、各イーサネットサブインターフェースは一意のＭＡＣアドレスを有し、通信ボードのイーサネットサブインターフェースは、イーサネットスイッチングチップ内のＴＤＭサービススイッチングモジュールに接続され、
受信ユニットは、イーサネットサブインターフェースから、イーサネットスイッチングチップ内のＴＤＭサービススイッチングモジュールによって送出された各イーサネットフレームを受信するように特に構成される。
【００１４】
第５の態様によれば、データスイッチングデバイスがもたらされ、
イーサネットインターフェースを有するパケットサービスボードと、
それぞれがイーサネットインターフェースを有する、第１の通信ボードおよび第２の通信ボードと、
パケットサービススイッチングモジュールおよび時分割多重ＴＤＭサービススイッチングモジュールを含むイーサネットスイッチングチップであって、パケットサービススイッチングモジュールはパケットサービスボードのイーサネットインターフェースに接続され、ＴＤＭサービススイッチングモジュールは、第１の通信ボードおよび第２の通信ボードのイーサネットインターフェースに接続される、イーサネットスイッチングチップと
を含み、
パケットサービスボードは、パケットサービススイッチングモジュールにパケットサービスデータを送出する、またはパケットサービススイッチングモジュールによって送出されたパケットサービスデータを受信する、またはパケットサービスデータに処理を行うように構成され、
イーサネットスイッチングチップ内のパケットサービススイッチングモジュールは、パケットサービスボードによって送出されたパケットサービスデータを受信し、パケットサービスデータを目標パケットサービスボードに送出するように構成され、
第１の通信ボードは、光チャネルデータユニットＯＤＵデータフローを獲得すること、様々なスライスを取得するために固定フレーム周波数に従ってＯＤＵデータフローにスライス処理を行うことであって、各スライスはＯＤＵデータフローにおける連続したＯＤＵデータのセクションを含む、スライス処理を行うこと、各スライスをイーサネットフレームに別々にカプセル化することであって、イーサネットフレームは少なくとも宛先メディアアクセス制御ＭＡＣアドレスおよびペイロード領域を担持し、宛先ＭＡＣアドレスは第２の通信ボードを指し示し、ペイロード領域はスライス内のＯＤＵデータおよびスライスのシリアル番号を記憶するために用いられる、カプセル化すること、および各イーサネットフレームをＴＤＭサービススイッチングモジュールに送出すること、を行うように構成され、
イーサネットスイッチングチップ内のＴＤＭサービススイッチングモジュールは、第１の通信ボードによって送出された各イーサネットフレームを受信し、各イーサネットフレームを、イーサネットフレーム内に担持される宛先ＭＡＣアドレスが指し示す第２の通信ボードに送出するように構成され、
第２の通信ボードは、イーサネットスイッチングチップ内のＴＤＭサービススイッチングモジュールによって送出された各イーサネットフレームを受信し、イーサネットフレームをカプセル化解除してスライスのシリアル番号およびスライス内のＯＤＵデータを取得し、スライスのシリアル番号に従ってスライス内のＯＤＵデータを順番に配置し、順番に配置された、スライス内のＯＤＵデータを、固定フレーム周波数に従ってＯＤＵデータフローに復元するように構成され、固定フレーム周波数はスライス処理において採用された固定フレーム周波数である。
【００１５】
第５の態様に関連して、第５の態様の第１の実施方法では、第１の通信ボードのイーサネットインターフェースは、少なくとも１つのイーサネットサブインターフェースを含み、各イーサネットサブインターフェースは一意のＭＡＣアドレスを有し、イーサネットサブインターフェースは、イーサネットスイッチングチップ内のＴＤＭサービススイッチングモジュールに接続され、
第１の通信ボードは各イーサネットフレームを、少なくとも１つのイーサネットサブインターフェースを通して、イーサネットスイッチングチップ内のＴＤＭサービススイッチングモジュールに送出するように特に構成される。
【００１６】
第５の態様に関連して、第５の態様の第２の実施方法では、第２の通信ボードのイーサネットインターフェースは、少なくとも１つのイーサネットサブインターフェースを含み、各イーサネットサブインターフェースは一意のＭＡＣアドレスを有し、イーサネットサブインターフェースは、イーサネットスイッチングチップ内のＴＤＭサービススイッチングモジュールに接続され、
第２の通信ボードは、イーサネットサブインターフェースから、イーサネットスイッチングチップ内のＴＤＭサービススイッチングモジュールによって送出された各イーサネットフレームを受信するように特に構成される。
【００１７】
第５の態様に関連して、第５の態様の第３の実施方法では、第１の通信ボードは、ＴＤＭサービス処理モジュールを有するＴＤＭサービスボード、またはＴＤＭサービス処理モジュールを有するＯＴＮラインボードであり、
第２の通信ボードは、ＴＤＭサービス処理モジュールを有するＴＤＭサービスボード、またはＴＤＭサービス処理モジュールを有するＯＴＮラインボードである。
【００１８】
第６の態様によれば、通信ボードがもたらされ、
光チャネルデータユニットＯＤＵデータフローを獲得するように構成された受信機と、
様々なスライスを取得するために固定フレーム周波数に従ってＯＤＵデータフローにスライス処理を行うように構成されたプロセッサであって、各スライスはＯＤＵデータフローにおける連続したＯＤＵデータのセクションを含み、
プロセッサは、各スライスをイーサネットフレームに別々にカプセル化するようにさらに構成され、イーサネットフレームは少なくとも宛先メディアアクセス制御ＭＡＣアドレスおよびペイロード領域を担持し、宛先ＭＡＣアドレスは第２の通信ボードを指し示し、ペイロード領域はスライス内のＯＤＵデータおよびスライスのシリアル番号を記憶するために用いられる、プロセッサと、
各イーサネットフレームを、イーサネットスイッチングチップ内の時分割多重ＴＤＭサービススイッチングモジュールに送出するように構成され、それによりＴＤＭサービススイッチングモジュールは各イーサネットフレームを、イーサネットフレーム内に担持される宛先ＭＡＣアドレスが指し示す第２の通信ボードに送出する、送信機であって、イーサネットスイッチングチップは、パケットサービスにスイッチング処理を行うように構成されたパケットサービススイッチングモジュールをさらに含む、送信機と
を含む。
【００１９】
第６の態様に関連して、第６の態様の第１の実施方法では、通信ボードのイーサネットインターフェースは、少なくとも１つのイーサネットサブインターフェースを含み、各イーサネットサブインターフェースは一意のＭＡＣアドレスを有し、通信ボードのイーサネットサブインターフェースは、イーサネットスイッチングチップ内のＴＤＭサービススイッチングモジュールに接続され、
送信機は各イーサネットフレームを、少なくとも１つのイーサネットサブインターフェースを通して、イーサネットスイッチングチップ内のＴＤＭサービススイッチングモジュールに送出するように特に構成される。
【００２０】
第６の態様に関連して、第６の態様の第２の実施方法では、通信ボードは、ＴＤＭサービス処理モジュールを有するＴＤＭサービスボード、またはＴＤＭサービス処理モジュールを有するＯＴＮラインボードである。
【００２１】
第７の態様によれば、通信ボードがもたらされ、
イーサネットスイッチングチップ内の時分割多重ＴＤＭサービススイッチングモジュールによって送出された各イーサネットフレームを受信するように構成された受信機であって、イーサネットフレームは少なくとも宛先メディアアクセス制御ＭＡＣアドレスおよびペイロード領域を担持し、宛先ＭＡＣアドレスは第２の通信ボードを指し示し、ペイロード領域はスライス内の光チャネルデータユニットＯＤＵデータおよびスライスのシリアル番号を記憶するために用いられる、受信機と、
イーサネットフレームをカプセル化解除して、スライスのシリアル番号およびスライス内のＯＤＵデータを取得するように構成されたプロセッサと
を含み、
プロセッサは、スライスのシリアル番号に従って、スライス内のＯＤＵデータを順番に配置するようにさらに構成され、
プロセッサは、順番に配置された、スライス内のＯＤＵデータを、固定フレーム周波数に従ってＯＤＵデータフローに復元するようにさらに構成され、固定フレーム周波数はスライス処理において採用された固定フレーム周波数である。
【００２２】
第７の態様に関連して、第７の態様の第１の実施方法では、通信ボードのイーサネットインターフェースは、少なくとも１つのイーサネットサブインターフェースを含み、各イーサネットサブインターフェースは一意のＭＡＣアドレスを有し、通信ボードのイーサネットサブインターフェースは、イーサネットスイッチングチップ内のＴＤＭサービススイッチングモジュールに接続され、
受信機は、イーサネットサブインターフェースから、イーサネットスイッチングチップ内のＴＤＭサービススイッチングモジュールによって送出された各イーサネットフレームを受信するように特に構成される。
【００２３】
第７の態様に関連して、第７の態様の第２の実施方法では、
通信ボードは、ＴＤＭサービス処理モジュールを有するＴＤＭサービスボード、またはＴＤＭサービス処理モジュールを有するＯＴＮラインボードである。
【００２４】
この実施形態では、ＯＤＵデータフローを獲得した後に、第１の通信ボードは、様々なスライスを取得するために固定フレーム周波数に従ってＯＤＵデータフローにスライス処理を行い、各スライスをイーサネットフレームに別々にカプセル化し、イーサネットフレームを、イーサネットスイッチングチップ内のＴＤＭサービススイッチングモジュールに送出し、それによりＴＤＭサービススイッチングモジュールは各イーサネットフレームを、イーサネットフレーム内に担持される宛先ＭＡＣアドレスが指し示す第２の通信ボードに送出することができる。イーサネットフレームを受信した後に、第２の通信ボードは、復元によってＯＤＵデータを取得することができ、それによって第１の通信ボードと第２の通信ボードの間のＯＤＵデータの切り換えを完了する。
【００２５】
ＯＤＵデータフローはＴＤＭサービスデータを担持するので、第１の通信ボードから第２の通信ボードへのＯＤＵデータフローの切り換えは、イーサネットスイッチングチップ内のＴＤＭサービススイッチングモジュールを用いることによって独立に行われ、パケットサービスの切り換えは、イーサネットスイッチングチップ内のパケットサービススイッチングモジュールを用いることによって行われる。ＴＤＭサービスの伝送遅延は比較的小さいので、イーサネットスイッチングチップ内のＴＤＭサービススイッチングモジュールが、ＴＤＭサービスデータを第２の通信ボードに切り換えるときは、ＴＤＭサービスはパケットサービスの伝送遅延の影響を受けない。このようにして、パケットサービスとＴＤＭサービスとが同じスイッチングデバイス上で切り換えられるときは、ＴＤＭサービスを切り換えるために必要な時間は短縮され、ＴＤＭサービスの伝送遅延はさらに減少される。
【図面の簡単な説明】
【００２６】
本発明の実施形態における、または従来技術における技術的解決策をより明瞭に述べるために、以下では実施形態または従来技術を述べるために必要な添付図面を簡潔に紹介する。明らかに、以下の説明での添付図面は、単に本発明のいくつかの実施形態を示すだけであり、当業者は、創造的な努力なしにこれらの添付図面から、さらに他の図面を導き出すことができる。
【００２７】
【図１】本発明の実施形態によるデータ処理方法の概略フローチャートである。
【図２】本発明の実施形態による通信ボードの第１の概略構造図である。
【図２ａ】本発明の実施形態による通信ボードの第２の概略構造図である。
【図３】本発明の実施形態による通信ボードの第３の概略構造図である。
【図３ａ】本発明の実施形態による通信ボードの第４の概略構造図である。
【図４】本発明の実施形態によるデータスイッチングデバイスの概略構造図である。
【図５】本発明の実施形態による通信ボードの第５の概略構造図である。
【図６】本発明の実施形態による通信ボードの第６の概略構造図である。
【発明を実施するための形態】
【００２８】
以下は、本発明の実施形態における添付図面を参照して、本発明の実施形態における技術的解決策を明瞭にかつ十分に述べる。明らかに、述べられる実施形態は本発明の実施形態のすべてではなく単に一部である。創造的な努力なしに本発明の実施形態に基づいて当業者によって得られるすべての他の実施形態は、本発明の保護範囲に包含されなければならない。
【００２９】
本発明の実施形態は、パケットサービスとＴＤＭサービスとが同じスイッチングデバイス上で切り換えられるときに、ＴＤＭサービスを切り換えるために必要な時間を低減することができ、さらにＴＤＭサービスの伝送遅延を減少する、データ処理方法をもたらす。
【００３０】
スイッチングデバイスは、少なくとも、パケットサービスを処理するように構成されたパケットサービスボード、第１の通信ボード、イーサネットスイッチングチップ、および第２の通信ボードを有する。
【００３１】
第１の通信ボードは、ＴＤＭサービス処理モジュールを有するＴＤＭサービスボード、またはＴＤＭサービス処理モジュールを有するＯＴＮラインボードを含むことができ、ＴＤＭサービス処理モジュールは、ＴＤＭサービスを処理するように構成される。
【００３２】
第２の通信ボードは、ＴＤＭサービス処理モジュールを有するＴＤＭサービスボード、またはＴＤＭサービス処理モジュールを有するＯＴＮラインボードを含むことができ、ＴＤＭサービス処理モジュールは、ＴＤＭサービスを処理するように構成される。
【００３３】
本発明の実施形態は、スイッチングデバイス上でＴＤＭサービスの切り換えを実施するために用いられる、データ処理方法をもたらす。図１に示されるように、方法は以下のステップを含む。
【００３４】
１０１。第１の通信ボードは、光チャネルデータユニット（Ｏｐｔｉｃａｌ  ｃｈａｎｎｅｌ  Ｄａｔａ  Ｕｎｉｔ、ＯＤＵ）データフローを獲得する。
【００３５】
例えば、第１の通信ボードがＴＤＭサービスボードである場合は、ＯＤＵデータフローの獲得の実施方法は、ＴＤＭサービスデータを受信した後にＴＤＭサービスボードは、複数のＯＤＵデータを取得するためにＴＤＭサービスデータをＯＤＵ内にカプセル化し、複数のＯＤＵデータによって形成されるデータフローは、ＯＤＵデータフローである。ＴＤＭサービスデータのタイプは限定されない。
【００３６】
複数のＯＤＵデータを取得するためにＴＤＭサービスデータをＯＤＵ内にカプセル化する方法は、従来技術が参照され得る。
【００３７】
別の例として第１の通信ボードがＯＴＮラインボードである場合は、ＯＤＵデータフローの獲得の実施方法は、ＯＴＮラインボードは、ＯＴＮラインボードの光インターフェースを通して、別のデバイスから光信号を受信することができ、すなわちＯＴＮラインボードが位置するデバイスは別のデバイスから光信号を受信し、次いでＯＴＮラインボードは、光信号内のデータにＦＥＣ処理を行い、復元によって高位ＯＤＵデータを取得するためにデフレーミング動作を行い、複数の下位ＯＤＵデータを取得するために、高位ＯＤＵデータに逆多重化動作を行い、複数の下位ＯＤＵデータによって形成されるデータフローはＯＤＵデータフローである。
【００３８】
ＦＥＣ処理、デフレーミング動作、および逆多重化動作の実施プロセスについてはすべて、関連する既存の技術を参照されることができ、詳細は本明細書では再び述べられない。
【００３９】
１０２。第１の通信ボードは、様々なスライスを取得するために固定フレーム周波数に従ってＯＤＵデータフローにスライス処理を行い、各スライスはＯＤＵデータフローにおける連続したＯＤＵデータのセクションを含む。
【００４０】
固定フレーム周波数は、４０．６千回／秒から１７８．６千回／秒までから選択された任意の値とすることができる。例えば、クロック性能およびカプセル化の拡張性の両方を考慮に入れるために、固定フレーム周波数は１１６．９千回／秒の値に設定されることができ、すなわち複数のスライスを取得するために、スライス処理はＯＤＵデータに対して１１６．９千回／秒行われる。
【００４１】
固定フレーム周波数の値範囲は、スライス内のＯＤＵデータによって占有される帯域幅の大きさ、および第１の通信ボードのイーサネットインターフェースによってサポートされる帯域幅の大きさによって決定され得る。
【００４２】
例えば、第１の通信ボードのイーサネットインターフェースの速度が１０ＧＥであり、サポートされる最大帯域幅が１０Ｇｂｐｓ（符号化効率は考慮されない）であるときは、イーサネットインターフェースは、５００Ｍｂｐｓに従って２０個のサブインターフェースに均等に分割され、スライス内のＯＤＵデータによって占有される最大帯域幅は１．３１Ｇｂｐｓである。スライス内のＯＤＵデータは、伝送のために３つのサブインターフェースを占有する必要があり、各サブインターフェースの実際に占有される帯域幅は１．３１Ｇｂｐｓ／３＝４３７Ｍｂｐｓである。その結果、固定周波数の最小値は、５００Ｍｂｐｓ／（１５３８バイト×８）＝４０．６千回／秒であり、１５３８バイトは以下の式を用いることによって得られ、すなわち最大イーサネットフレーム長さ＋フレーム間ギャップによって占有されるバイト数＋フレームデリミタのプリアンブル／スタートによって占有されるバイト数であり、最大イーサネットフレーム長さは１５１８バイトを占有し、フレーム間ギャップおよびフレームデリミタのプリアンブル／スタートは２０バイトを占有する。固定フレーム周波数の最大値は次の通りであり、すなわちイーサネットフレーム長さが３３０バイトであるときは、得られるフレーム周波数値は５００Ｍｂｐｓ／（３５０バイト×８）＝１７８．６千回／秒であり、３５０バイトのうちでイーサネットフレーム長さは３３０バイトを占有し、フレーム間ギャップおよびフレームデリミタのプリアンブル／スタートは２０バイトを占有する。この場合は、ペイロード領域によって占有される帯域幅（ペイロード領域はＯＤＵデータを担持するために用いられる）は、正確に４３７Ｍｂｐｓである。
【００４３】
１０３。第１の通信ボードは、各スライスをイーサネットフレームに別々にカプセル化する。
【００４４】
イーサネットフレームは、少なくとも宛先メディアアクセス制御（Ｍｅｄｉａ  Ａｃｃｅｓｓ  Ｃｏｎｔｒｏｌ、ＭＡＣ）アドレスおよびペイロード領域を担持する。
【００４５】
例えば、イーサネットフレームの標準フォーマットは、以下の表１に示される。
【００４６】
【表１】
2016502824.tif 000003
【００４７】
宛先アドレスは宛先ＭＡＣアドレスを記憶するために用いられ、宛先ＭＡＣアドレスは第２の通信ボードを指し示す。送信元アドレスは、第１の通信ボードのＭＡＣアドレスを記憶するために用いられる。フレーム間ギャップ、フレームデリミタのプリアンブル／スタート、およびフレームチェックシーケンスなどのパラメータの選択および機能については、従来技術が参照され得る。
【００４８】
ペイロード領域の標準フォーマットは、以下の表２に示される。
【００４９】
【表２】
2016502824.tif 000004
【００５０】
ペイロード領域はスライス内のＯＤＵデータおよびスライスのシリアル番号を記憶するために用いられる。具体的には、ペイロード領域のペイロードデータ部はスライス内のＯＤＵデータを記憶するために用いられ、ペイロードヘッダ部はスライスのシリアル番号を記憶するために用いられる。
【００５１】
ペイロード領域は、固定長形式を用いることができ、可変長形式を用いてもよい。ペイロード領域が固定長形式を用いる場合は、固定長のペイロード領域は、異なる長さのペイロードデータにパッド部を追加することによって取得されることができ、ペイロード領域が可変長形式を用いる場合は、パッドは必要ない。
【００５２】
ペイロードヘッダ部はさらに、ＯＤＵクロック情報を記憶することができ、ＯＤＵクロック情報は具体的には、スライス内のＯＤＵデータによって用いられたクロック周波数と、第１の通信ボードが位置するデバイスのシステムクロック周波数との差とすることができる。差は、第２の通信ボードが、復元によっておよびイーサネットフレームを受信した後に、ＯＤＵデータによって用いられたクロックを取得することを可能にし、ＯＤＵデータによって用いられたクロックは、ＯＤＵデータが送出されるときに用いられる。
【００５３】
１０４。第１の通信ボードは各イーサネットフレームを、イーサネットスイッチングチップ内のＴＤＭサービススイッチングモジュールに送出し、それによりＴＤＭサービススイッチングモジュールは各イーサネットフレームを、イーサネットフレーム内に担持される宛先ＭＡＣアドレスが指し示す第２の通信ボードに送出する。
【００５４】
さらに、第１の通信ボードのイーサネットインターフェースおよび第２の通信ボードのイーサネットインターフェースは共に、少なくとも１つのイーサネットサブインターフェースを含み、各イーサネットサブインターフェースは一意のＭＡＣアドレスを有し、第１の通信ボードおよび第２の通信ボードのイーサネットサブインターフェースは、イーサネットスイッチングチップ内のＴＤＭサービススイッチングモジュールに接続される。
【００５５】
例えば、第１の通信ボードのイーサネットインターフェースによってサポートされる最大帯域幅が１０ＧＥであるときは、第１の通信ボードのイーサネットインターフェースは、２０個のサブインターフェースに均等に分割されることができ、各サブインターフェースによってサポートされる帯域幅は５００Ｍｂｐｓである。実際の応用例では、各イーサネットサブインターフェースは、統計的構成によって一意のＭＡＣアドレスを取得することができる。同じく、同様な処理が第２の通信ボードに対して行われる。
【００５６】
第１の通信ボードおよび第２の通信ボードのイーサネットサブインターフェースは、イーサネットスイッチングチップ内のＴＤＭサービススイッチングモジュールに接続され、それにより第１の通信ボードおよび第２の通信ボードは、それらのそれぞれのイーサネットサブインターフェースを通して、イーサネットスイッチングチップ内のＴＤＭサービススイッチングモジュールと通信することができる。
【００５７】
ステップ１０４において、第１の通信ボードが各イーサネットフレームを、イーサネットスイッチングチップ内のＴＤＭサービススイッチングモジュールに送出し、それによりＴＤＭサービススイッチングモジュールが各イーサネットフレームを、イーサネットフレーム内に担持される宛先ＭＡＣアドレスが指し示す第２の通信ボードに送出することは、実施のための以下の方法によって具体的に置き換えられることができ、すなわち
第１の通信ボードは各イーサネットフレームを、第１の通信ボード上の少なくとも１つのイーサネットサブインターフェースを通して、イーサネットスイッチングチップ内のＴＤＭサービススイッチングモジュールに送出し、それによりＴＤＭサービススイッチングモジュールは各イーサネットフレームを、イーサネットフレーム内に担持される宛先ＭＡＣアドレスが指し示す第２の通信ボードのイーサネットサブインターフェースに送出する。
【００５８】
１０５。イーサネットスイッチングチップ内のＴＤＭサービススイッチングモジュールは、第１の通信ボードによって送出された各イーサネットフレームを受信する。
【００５９】
イーサネットスイッチングチップは、パケットサービススイッチングモジュールおよびＴＤＭサービススイッチングモジュールを含む。
【００６０】
実際の応用例では、既存のイーサネットスイッチングチップは、パケットサービススイッチングモジュールとＴＤＭサービススイッチングモジュールとに論理的に分割される。パケットサービススイッチングモジュールは、パケットサービスを処理するために用いられるモジュールであり、もともとイーサネットスイッチングチップ内に位置する。パケットサービススイッチングモジュールは、パケットサービスボードのイーサネットインターフェースに接続され、パケットサービスボードからのパケットサービスを処理するために用いられる。ＴＤＭサービススイッチングモジュールは、新たに追加された機能モジュールであり、第１の通信ボードおよび第２の通信ボードのイーサネットインターフェースに接続する必要があり、ＴＤＭサービスを処理するために用いられる。
【００６１】
１０６。イーサネットスイッチングチップ内のＴＤＭサービススイッチングモジュールは各イーサネットフレームを、イーサネットフレーム内に担持される宛先ＭＡＣアドレスが指し示す第２の通信ボードに送出する。
【００６２】
第１の通信ボードおよび第２の通信ボードの各イーサネットインターフェースが複数のサブインターフェースを含むときは、ステップ１０５の実施はまた具体的には、ＴＤＭサービススイッチングモジュールは第１の通信ボードのイーサネットサブインターフェースによって送出された各イーサネットフレームを受信することとすることができ、およびステップ１０６の実施はまた具体的には、各イーサネットフレームは、イーサネットフレーム内に担持される宛先ＭＡＣアドレスが指し示す第２の通信ボードのイーサネットサブインターフェースに送出されることとすることができることが、留意されるべきである。
【００６３】
例えば、第１の通信ボードが、イーサネットフレームを、第１の通信ボードのイーサネットサブインターフェース２から、第２の通信ボードのイーサネットサブインターフェース６に送出する必要があるときは、イーサネットフレーム内に担持される宛先ＭＡＣアドレスは、第２の通信ボードのイーサネットサブインターフェース６を指し示す。ＴＤＭサービススイッチングモジュールは、第１の通信ボードのイーサネットサブインターフェース２によって送出された各イーサネットフレームを受信し、各イーサネットフレームを、イーサネットフレーム内に担持される宛先ＭＡＣアドレスが指し示す第２の通信ボードのイーサネットサブインターフェース６に送出する。
【００６４】
１０７。第２の通信ボードは、イーサネットスイッチングチップ内のＴＤＭサービススイッチングモジュールによって送出されたイーサネットフレームを受信し、イーサネットフレームをカプセル化解除してスライスのシリアル番号およびスライス内のＯＤＵデータを取得する。
【００６５】
イーサネットフレームがＯＤＵクロック情報を担持する場合は、イーサネットフレームがカプセル化解除された後に、ＯＤＵクロック情報も取得される。
【００６６】
１０８。第２の通信ボードは、スライスのシリアル番号に従って、スライス内のＯＤＵデータを順番に配置する。
【００６７】
１０９。第２の通信ボードは、順番に配置された、スライス内のＯＤＵデータを、固定フレーム周波数に従ってＯＤＵデータフローに復元し、固定フレーム周波数はスライス処理において採用された固定フレーム周波数である。
【００６８】
ＯＤＵクロック情報がステップ１０８で取得された場合は、各スライス内のＯＤＵデータにおいて用いられたクロックが、各スライス内のＯＤＵクロック情報に従ってさらに復元され得る。
【００６９】
ＯＤＵクロック情報は、スライス内のＯＤＵデータによって用いられたクロック周波数と、第１の通信ボードが位置するデバイスのシステムクロック周波数の差である。第１の通信ボードおよび第２の通信ボードは共に、同じデバイス上に位置する。したがって第２の通信ボードは、差およびデバイスのシステムクロック周波数を用いることによって、スライス内のＯＤＵデータによって用いられたクロック周波数を復元することができる。
【００７０】
第２の通信ボードが、復元によってＯＤＵデータを取得した後に、第２の通信ボードの異なるタイプに従って、異なる処理がその後に行われることが留意されるべきである。
【００７１】
例えば、第２の通信ボードがＴＤＭサービスボードである場合は、ＴＤＭサービスボードは、ＯＤＵデータ内に担持されるＴＤＭサービスデータを用いることによって、関連するＴＤＭサービス処理を行う。
【００７２】
第２の通信ボードがＯＴＮラインボードである場合は、ＯＴＮラインボードは、復元によって取得された、ＯＤＵデータフロー内の各ＯＤＵデータに多重化動作を行って各高位ＯＤＵデータを取得し、次いで各高位ＯＤＵデータにフレーミング動作およびＦＥＣ処理を行って各光信号を取得し、ＯＤＵデータによって用いられたクロックに従って光信号を、ＯＴＮラインボードの光インターフェースを通して別のデバイスに送出し、すなわちＯＴＮラインボードが位置するデバイスは、ＯＤＵデータを担持する光信号を、ＯＤＵデータによって用いられたクロックに従って、別のデバイスに送出する。
【００７３】
本発明のこの実施形態においてもたらされるスイッチングデバイスはさらに、パケットサービスの切り換えを実施するために用いられることができ、具体的には次の通りであり、すなわち、イーサネットスイッチングチップ内のパケットサービススイッチングモジュールは、パケットサービスボードのイーサネットインターフェースに接続される。パケットサービスボードは、パケットサービスデータを、パケットサービススイッチングモジュールに送出することができ、パケットサービススイッチングモジュールは、パケットサービスボードによって送出されたパケットサービスデータを受信し、パケットサービスデータを目標パケットサービスボードに送出し、それによってパケットサービスの切り換えを完了する。
【００７４】
本発明のこの実施形態では、パケットサービスにスイッチング処理を行うためにスイッチングデバイスが用いられるプロセスは、従来技術におけるパケットサービスに対するスイッチング処理と同じであり、詳細は本明細書では再び述べられない。
【００７５】
この実施形態においてもたらされる方法によれば、ＯＤＵデータフローを獲得した後に、第１の通信ボードは、様々なスライスを取得するために固定フレーム周波数に従ってＯＤＵデータフローにスライス処理を行い、各スライスをイーサネットフレームに別々にカプセル化し、イーサネットフレームを、イーサネットスイッチングチップ内のＴＤＭサービススイッチングモジュールに送出し、それによりＴＤＭサービススイッチングモジュールは各イーサネットフレームを、イーサネットフレーム内に担持される宛先ＭＡＣアドレスが指し示す第２の通信ボードに送出することができる。イーサネットフレームを受信した後に、第２の通信ボードは、復元によってＯＤＵデータを取得することができ、それによって第１の通信ボードと第２の通信ボードの間のＯＤＵデータの切り換えを完了する。
【００７６】
ＯＤＵデータフローはＴＤＭサービスデータを担持するので、第１の通信ボードから第２の通信ボードへのＯＤＵデータフローの切り換えは、イーサネットスイッチングチップ内のＴＤＭサービススイッチングモジュールを用いることによって独立に行われ、パケットサービスの切り換えは、イーサネットスイッチングチップ内のパケットサービススイッチングモジュールを用いることによって行われる。ＴＤＭサービスの伝送遅延は比較的小さいので、イーサネットスイッチングチップ内のＴＤＭサービススイッチングモジュールが、ＴＤＭサービスデータを第２の通信ボードに切り換えるときは、ＴＤＭサービスはパケットサービスの伝送遅延の影響を受けない。このようして、パケットサービスとＴＤＭサービスとが同じスイッチングデバイス上で切り換えられるときは、ＴＤＭサービスを切り換えるために必要な時間は短縮され、ＴＤＭサービスの伝送遅延はさらに減少される。
【００７７】
本発明の実施形態は通信ボードをもたらし、通信ボードはイーサネットインターフェース４０を有し、通信ボードは、ＴＤＭサービス処理モジュールを有するＴＤＭサービスボード、またはＴＤＭサービス処理モジュールを有するＯＴＮラインボードである。
【００７８】
図２に示されるように、通信ボードは、
ＯＤＵデータフローを獲得するように構成された獲得ユニット２１と、
様々なスライスを取得するために固定フレーム周波数に従ってＯＤＵデータフローにスライス処理を行うように構成されたスライスユニット２２であって、各スライスはＯＤＵデータフローにおける連続したＯＤＵデータのセクションを含む、スライスユニット２２と、
各スライスをイーサネットフレームに別々にカプセル化するように構成されたカプセル化ユニット２３であって、イーサネットフレームは少なくとも宛先ＭＡＣアドレスおよびペイロード領域を担持し、ペイロード領域はスライス内のＯＤＵデータおよびスライスのシリアル番号を記憶するために用いられ、
イーサネットフレーム、およびイーサネットフレーム内のペイロード領域の詳細な説明については、上記のステップ１０３を参照することができる、カプセル化ユニット２３と、
各イーサネットフレームを、イーサネットスイッチングチップ内のＴＤＭサービススイッチングモジュールに送出するように構成され、それによりＴＤＭサービススイッチングモジュールは各イーサネットフレームを、イーサネットフレーム内に担持される宛先ＭＡＣアドレスが指し示す第２の通信ボードに送出する、送出ユニット２４であって、イーサネットスイッチングチップは、パケットサービスにスイッチング処理を行うように構成されたパケットサービススイッチングモジュールをさらに含む、送出ユニット２４と
を含む。
【００７９】
この実施形態では、ＯＤＵデータフローを獲得した後に、通信ボードは、様々なスライスを取得するために固定フレーム周波数に従ってＯＤＵデータフローにスライス処理を行い、各スライスをイーサネットフレームに別々にカプセル化し、イーサネットフレームを、イーサネットスイッチングチップ内のＴＤＭサービススイッチングモジュールに送出する。したがってＴＤＭサービススイッチングモジュールは各イーサネットフレームを、イーサネットフレーム内に担持される宛先ＭＡＣアドレスが指し示す第２の通信ボードに送出することができ、それにより、イーサネットフレームを受信した後に、第２の通信ボードは、復元によってＯＤＵデータを取得することができ、それによって通信ボードからイーサネットスイッチングチップへのＯＤＵデータの切り換えを完了する。
【００８０】
さらに、図２ａに示されるように、通信ボードのイーサネットインターフェースは、少なくとも１つのイーサネットサブインターフェース（図２ａのイーサネットサブインターフェース２０１および２０２〜２０ｉであり、ｉ≧１で、ｉは正の整数）を含み、各イーサネットサブインターフェースは一意のＭＡＣアドレスを有し、通信ボードのイーサネットサブインターフェースは、イーサネットスイッチングチップ内のＴＤＭサービススイッチングモジュールに接続される。
【００８１】
送出ユニットは各イーサネットフレームを、少なくとも１つのイーサネットサブインターフェースを通して、イーサネットスイッチングチップ内のＴＤＭサービススイッチングモジュールに送出するように特に構成される。
【００８２】
図２に示される通信ボードについては、図１に示される方法における第１の通信ボードの関連する説明が参照され得る。
【００８３】
本発明の実施形態はさらに通信ボードをもたらし、通信ボードはイーサネットインターフェース６０を有し、通信ボードは、ＴＤＭサービス処理モジュールを有するＴＤＭサービスボード、またはＴＤＭサービス処理モジュールを有するＯＴＮラインボードである。
【００８４】
図３に示されるように、通信ボードは、
イーサネットスイッチングチップ内のＴＤＭサービススイッチングモジュールによって送出された各イーサネットフレームを受信するように構成された受信ユニット３１であって、イーサネットフレームは少なくとも宛先ＭＡＣアドレスおよびペイロード領域を担持し、宛先ＭＡＣアドレスは第２の通信ボードを指し示し、ペイロード領域はスライス内のＯＤＵデータおよびスライスのシリアル番号を記憶するために用いられ、
イーサネットフレーム、およびイーサネットフレーム内のペイロード領域の詳細な説明については、上記のステップ１０３を参照することができる、受信ユニット３１と、
イーサネットフレームをカプセル化解除して、スライスのシリアル番号およびスライス内のＯＤＵデータを取得するように構成されたカプセル化解除ユニット３２と、
スライスのシリアル番号に従って、スライス内のＯＤＵデータを順番に配置するように構成されたソートユニット３３と、
順番に配置された、スライス内のＯＤＵデータを、固定フレーム周波数に従ってＯＤＵデータフローに復元するように構成された復元処理ユニット３４であって、固定フレーム周波数はスライス処理において採用された固定フレーム周波数である、復元処理ユニット３４と
を含む。
【００８５】
この実施形態では、イーサネットスイッチングチップ内のＴＤＭサービススイッチングモジュールによって送出されたイーサネットフレームを受信した後に、通信ボードは、イーサネットフレームをカプセル化解除してスライスのシリアル番号およびスライス内のＯＤＵデータを取得し、スライスのシリアル番号に従ってスライス内のＯＤＵデータを順番に配置し、次いで順番に配置された、スライス内のＯＤＵデータを、固定フレーム周波数に従ってＯＤＵデータフローに復元し、それによってイーサネットスイッチングチップから通信ボードへのＯＤＵデータの切り換えを完了する。
【００８６】
さらに、図３ａに示されるように、通信ボードのイーサネットインターフェース３０は、少なくとも１つのイーサネットサブインターフェース（図３ａのイーサネットサブインターフェース３０１および３０２〜３０ｉであり、ｉ≧１で、ｉは正の整数）を含み、各イーサネットサブインターフェースは一意のＭＡＣアドレスを有し、通信ボードのイーサネットサブインターフェースは、イーサネットスイッチングチップ内のＴＤＭサービススイッチングモジュールに接続され、
受信ユニットは、イーサネットサブインターフェースから、イーサネットスイッチングチップ内のＴＤＭサービススイッチングモジュールによって送出された各イーサネットフレームを受信するように特に構成される。
【００８７】
図３に示される通信ボードについては、図１に示される方法における第２の通信ボードの関連する説明が参照され得る。
【００８８】
図２に示される通信ボードの機能、および図３に示される通信ボードの機能は、それらを同じ通信ボード上に統合することによって実施されることができ、またそれぞれ２つの独立した通信ボードを用いることによっても実施され得ることが留意されるべきである。
【００８９】
図４に示されるように、本発明の実施形態はデータスイッチングデバイスをもたらし、データスイッチングデバイスは、
イーサネットインターフェース４１０を有するパケットサービスボード４１と、
イーサネットインターフェース４３０を有する第１の通信ボード４３と、
イーサネットインターフェース４４０を有する第２の通信ボード４４と、
パケットサービススイッチングモジュール４２１および時分割多重ＴＤＭサービススイッチングモジュール４２２を含むイーサネットスイッチングチップ４２であって、パケットサービススイッチングモジュール４２１はパケットサービスボードのイーサネットインターフェース４１０に接続され、ＴＤＭサービススイッチングモジュール４２２は、第１の通信ボードのイーサネットインターフェース４３０および第２の通信ボードのイーサネットインターフェース４４０に接続される、イーサネットスイッチングチップ４２と
を含み、
パケットサービスボード４１は、パケットサービススイッチングモジュールにパケットサービスデータを送出する、またはパケットサービススイッチングモジュールによって送出されたパケットサービスデータを受信する、またはパケットサービスデータに処理を行うように構成され、
イーサネットスイッチングチップ４２内のパケットサービススイッチングモジュールは、パケットサービスボードによって送出されたパケットサービスデータを受信し、パケットサービスデータを目標パケットサービスボードに送出するように構成され、
第１の通信ボード４３は、光チャネルデータユニットＯＤＵデータフローを獲得すること、様々なスライスを取得するために固定フレーム周波数に従ってＯＤＵデータフローにスライス処理を行うことであって、各スライスはＯＤＵデータフローにおける連続したＯＤＵデータのセクションを含む、スライス処理を行うこと、各スライスをイーサネットフレームに別々にカプセル化することであって、イーサネットフレームは少なくとも宛先メディアアクセス制御ＭＡＣアドレスおよびペイロード領域を担持し、宛先ＭＡＣアドレスは第２の通信ボードを指し示し、ペイロード領域はスライス内のＯＤＵデータおよびスライスのシリアル番号を記憶するために用いられる、カプセル化すること、および各イーサネットフレームをＴＤＭサービススイッチングモジュールに送出すること、を行うように構成され、
イーサネットスイッチングチップ内のＴＤＭサービススイッチングモジュール４２１は、第１の通信ボードによって送出された各イーサネットフレームを受信し、各イーサネットフレームを、イーサネットフレーム内に担持される宛先ＭＡＣアドレスが指し示す第２の通信ボードに送出するように構成され、
第２の通信ボード４４は、イーサネットスイッチングチップ内のＴＤＭサービススイッチングモジュールによって送出された各イーサネットフレームを受信し、イーサネットフレームをカプセル化解除してスライスのシリアル番号およびスライス内のＯＤＵデータ取得し、スライスのシリアル番号に従ってスライス内のＯＤＵデータを順番に配置し、順番に配置された、スライス内のＯＤＵデータを、固定フレーム周波数に従ってＯＤＵデータフローに復元するように構成され、固定フレーム周波数はスライス処理において採用された固定フレーム周波数である。
【００９０】
この実施形態においてもたらされるデータスイッチングデバイスでは、ＯＤＵデータフローを獲得した後に、第１の通信ボードは、様々なスライスを取得するために固定フレーム周波数に従ってＯＤＵデータフローにスライス処理を行い、各スライスをイーサネットフレームに別々にカプセル化し、イーサネットフレームを、イーサネットスイッチングチップ内のＴＤＭサービススイッチングモジュールに送出し、それによりＴＤＭサービススイッチングモジュールは各イーサネットフレームを、イーサネットフレーム内に担持される宛先ＭＡＣアドレスが指し示す第２の通信ボードに送出することができる。イーサネットフレームを受信した後に、第２の通信ボードは、復元によってＯＤＵデータを取得することができ、それによって第１の通信ボードと第２の通信ボードの間のＯＤＵデータの切り換えを完了する。
【００９１】
ＯＤＵデータフローはＴＤＭサービスデータを担持するので、第１の通信ボードから第２の通信ボードへのＯＤＵデータフローの切り換えは、イーサネットスイッチングチップ内のＴＤＭサービススイッチングモジュールを用いることによって独立に行われ、パケットサービスの切り換えは、イーサネットスイッチングチップ内のパケットサービススイッチングモジュールを用いることによって行われる。ＴＤＭサービスの伝送遅延は比較的小さいので、イーサネットスイッチングチップ内のＴＤＭサービススイッチングモジュールが、ＴＤＭサービスデータを第２の通信ボードに切り換えるときは、ＴＤＭサービスはパケットサービスの伝送遅延の影響を受けない。このようして、パケットサービスとＴＤＭサービスとが同じスイッチングデバイス上で切り換えられるときは、ＴＤＭサービスを切り換えるために必要な時間は短縮され、ＴＤＭサービスの伝送遅延はさらに減少される。
【００９２】
さらに、第１の通信ボード４３のイーサネットインターフェースは、少なくとも１つのイーサネットサブインターフェースを含み、各イーサネットサブインターフェースは一意のＭＡＣアドレスを有し、イーサネットサブインターフェースは、イーサネットスイッチングチップ内のＴＤＭサービススイッチングモジュールに接続され、
第１の通信ボード４３は各イーサネットフレームを、少なくとも１つのイーサネットサブインターフェースを通して、イーサネットスイッチングチップ内のＴＤＭサービススイッチングモジュールに送出するように特に構成される。
【００９３】
第２の通信ボード４４のイーサネットインターフェースは、少なくとも１つのイーサネットサブインターフェースを含み、各イーサネットサブインターフェースは一意のＭＡＣアドレスを有し、イーサネットサブインターフェースは、イーサネットスイッチングチップ内のＴＤＭサービススイッチングモジュールに接続され、
第２の通信ボード４４は、イーサネットサブインターフェースから、イーサネットスイッチングチップ内のＴＤＭサービススイッチングモジュールによって送出された各イーサネットフレームを受信するように特に構成される。
【００９４】
さらに、第１の通信ボード４３は、ＴＤＭサービス処理モジュールを有するＴＤＭサービスボード、またはＴＤＭサービス処理モジュールを有するＯＴＮラインボードであり、
第２の通信ボード４４は、ＴＤＭサービス処理モジュールを有するＴＤＭサービスボード、またはＴＤＭサービス処理モジュールを有するＯＴＮラインボードである。
【００９５】
図５に示されるように、本発明の実施形態は通信ボードをもたらし、通信ボードは、プロセッサ５１、受信機５２、送信機５３、メモリ５４、バス５０００、および駆動回路５００１を含む。
【００９６】
受信機５２は、光チャネルデータユニットＯＤＵデータフローを獲得するように構成される。
【００９７】
プロセッサ５１は、様々なスライスを取得するために固定フレーム周波数に従ってＯＤＵデータフローにスライス処理を行うように構成され、各スライスは、ＯＤＵデータフローにおける連続したＯＤＵデータのセクションを含む。
【００９８】
プロセッサ５１はさらに、各スライスをイーサネットフレームに別々にカプセル化するように構成され、イーサネットフレームは少なくとも宛先メディアアクセス制御ＭＡＣアドレスおよびペイロード領域を担持し、宛先ＭＡＣアドレスは第２の通信ボードを指し示し、ペイロード領域はスライス内のＯＤＵデータおよびスライスのシリアル番号を記憶するために用いられる。
【００９９】
送信機５３は各イーサネットフレームを、イーサネットスイッチングチップ内の時分割多重ＴＤＭサービススイッチングモジュールに送出するように構成され、それによりＴＤＭサービススイッチングモジュールは各イーサネットフレームを、イーサネットフレーム内に担持される宛先ＭＡＣアドレスが指し示す第２の通信ボードに送出し、イーサネットスイッチングチップは、パケットサービスにスイッチング処理を行うように構成されたパケットサービススイッチングモジュールをさらに含む。
【０１００】
メモリ５４は、各スライスまたはイーサネットフレームを一時的に記憶するように構成される。
【０１０１】
この実施形態では、ＯＤＵデータフローを獲得した後に、通信ボードは、様々なスライスを取得するために固定フレーム周波数に従ってＯＤＵデータフローにスライス処理を行い、各スライスをイーサネットフレームに別々にカプセル化し、イーサネットフレームを、イーサネットスイッチングチップ内のＴＤＭサービススイッチングモジュールに送出し、それによりＴＤＭサービススイッチングモジュールは各イーサネットフレームを、イーサネットフレーム内に担持される宛先ＭＡＣアドレスが指し示す第２の通信ボードに送出することができる。イーサネットフレームを受信した後に、第２の通信ボードは、復元によってＯＤＵデータを取得することができ、それによって通信ボードからイーサネットスイッチングチップへのＯＤＵデータの切り換えを完了する。
【０１０２】
受信機５２および送信機５３は、アンテナに結合され得ることが留意されるべきである。
【０１０３】
駆動回路５００１は、各ハードウェアが正常に動作できるように、通信ボード内の各ハードウェアのためのドライバをもたらすように構成される。
【０１０４】
この実施形態の特定の実装では、メモリは、以下のメモリすなわち、リードオンリメモリ、ランダムアクセスメモリ、および不揮発性ランダムアクセスメモリの少なくとも１または複数を含む。メモリは、プロセッサのための命令およびデータをもたらす。
【０１０５】
プロセッサは、集積回路チップとすることができ、信号処理能力を有する。実施プロセスでは、上記の方法における各ステップは、プロセッサ内のハードウェアの集積論理回路、またはソフトウェアの形での命令によって完了され得る。命令は、プロセッサと協働して実施および制御されることができ、本発明の実施形態によって開示される方法を行うために用いられる。上記のプロセッサはまた、汎用プロセッサ、デジタル信号プロセッサ（Ｄｉｇｉｔａｌ  Ｓｉｇｎａｌ  Ｐｒｏｃｅｓｓｉｎｇ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）または他のプログラマブル論理構成要素、ディスクリートゲートまたはトランジスタ論理構成要素、またはディスクリートハードウェア構成要素とすることができる。
【０１０６】
上記の汎用プロセッサは、マイクロプロセッサとすることができ、またはプロセッサは任意の従来型のプロセッサ、デコーダなどとすることもできる。本発明の実施形態において開示される方法のステップは、ハードウェアプロセッサによって直接実行される、またはプロセッサにおけるハードウェアおよびソフトウェアモジュールの組合せによって実行され得る。ソフトウェアモジュールは、ランダムアクセスメモリ、フラッシュメモリ、リードオンリメモリ、プログラマブルリードオンリメモリ、または電気的消去可能プログラマブルメモリ、またはレジスタなどの当技術分野における成熟した記憶媒体内に位置することができる。
【０１０７】
さらに、通信ボードのすべてのハードウェア構成要素は、バスシステム５０００を用いることによって一緒に結合され、バスシステム５０００はさらに、データバスに加えて電源バス、制御バス、およびステータス信号バスを含むことができる。しかし説明を明瞭にするために、図５では様々なバスはバスシステム５０００として表示される。
【０１０８】
さらに、通信ボードのイーサネットインターフェースは、少なくとも１つのイーサネットサブインターフェースを含み、各イーサネットサブインターフェースは一意のＭＡＣアドレスを有し、通信ボードのイーサネットサブインターフェースは、イーサネットスイッチングチップ内のＴＤＭサービススイッチングモジュールに接続される。
【０１０９】
送信機５３は各イーサネットフレームを、少なくとも１つのイーサネットサブインターフェースを通して、イーサネットスイッチングチップ内のＴＤＭサービススイッチングモジュールに送出するように特に構成される。
【０１１０】
さらに、通信ボードは、ＴＤＭサービス処理モジュールを有するＴＤＭサービスボード、またはＴＤＭサービス処理モジュールを有するＯＴＮラインボードである。
【０１１１】
図６に示されるように、本発明の実施形態はさらに通信ボードをもたらし、通信ボードは、プロセッサ６１、受信機６２、メモリ６４、バス６０００、および駆動回路６００１を含む。
【０１１２】
受信機６２は、イーサネットスイッチングチップ内の時分割多重ＴＤＭサービススイッチングモジュールによって送出された各イーサネットフレームを受信するように構成され、イーサネットフレームは少なくとも宛先メディアアクセス制御ＭＡＣアドレスおよびペイロード領域を担持し、宛先ＭＡＣアドレスは第２の通信ボードを指し示し、ペイロード領域はスライス内の光チャネルデータユニットＯＤＵデータおよびスライスのシリアル番号を記憶するために用いられる。
【０１１３】
プロセッサ６１は、イーサネットフレームをカプセル化解除して、スライスのシリアル番号およびスライス内のＯＤＵデータを取得するように構成される。
【０１１４】
プロセッサ６１はさらに、スライスのシリアル番号に従って、スライス内のＯＤＵデータを順番に配置するように構成される。
【０１１５】
プロセッサ６１はさらに、順番に配置された、スライス内のＯＤＵデータを、固定フレーム周波数に従ってＯＤＵデータフローに復元するように構成され、固定フレーム周波数はスライス処理において採用された固定フレーム周波数である。
【０１１６】
メモリ６４は、各イーサネットフレームまたはスライス内のＯＤＵデータを一時的に記憶するように構成される。
【０１１７】
この実施形態では、イーサネットスイッチングチップ内のＴＤＭサービススイッチングモジュールによって送出されたイーサネットフレームを受信した後に、通信ボードは、イーサネットフレームをカプセル化解除してスライスのシリアル番号およびスライス内のＯＤＵデータを取得し、スライスのシリアル番号に従ってスライス内のＯＤＵデータを順番に配置し、次いで順番に配置された、スライス内のＯＤＵデータを、固定フレーム周波数に従ってＯＤＵデータフローに復元し、それによってイーサネットスイッチングチップから通信ボードへのＯＤＵデータの切り換えを完了する。
【０１１８】
受信機６２は、アンテナに結合され得ることが留意されるべきである。
【０１１９】
駆動回路６００１は、各ハードウェアが正常に動作できるように、通信ボード内の各ハードウェアのためのドライバをもたらすように構成される。
【０１２０】
この実施形態の特定の実装では、メモリは、以下のメモリデバイスすなわち、リードオンリメモリ、ランダムアクセスメモリ、および不揮発性ランダムアクセスメモリの少なくとも１または複数を含む。メモリは、プロセッサのための命令およびデータをもたらす。
【０１２１】
プロセッサは、集積回路チップとすることができ、信号処理能力を有する。実施プロセスでは、上記の方法における各ステップは、プロセッサ内のハードウェアの集積論理回路、またはソフトウェアの形での命令によって完了され得る。命令は、プロセッサと協働して実施および制御されることができ、本発明の実施形態によって開示される方法を行うために用いられる。上記のプロセッサはまた、汎用プロセッサ、デジタル信号プロセッサ（Ｄｉｇｉｔａｌ  Ｓｉｇｎａｌ  Ｐｒｏｃｅｓｓｉｎｇ、ＤＳＰ）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）または別のプログラマブル論理構成要素、ディスクリートゲートまたはトランジスタ論理構成要素、またはディスクリートハードウェア構成要素とすることができる。
【０１２２】
上記の汎用プロセッサは、マイクロプロセッサとすることができ、またはプロセッサは任意の従来型のプロセッサ、デコーダなどとすることもできる。本発明の実施形態において開示される方法のステップは、ハードウェアプロセッサによって直接実行される、またはプロセッサにおけるハードウェアおよびソフトウェアモジュールの組合せによって実行され得る。ソフトウェアモジュールは、ランダムアクセスメモリ、フラッシュメモリ、リードオンリメモリ、プログラマブルリードオンリメモリ、または電気的消去可能プログラマブルメモリ、またはレジスタなどの当技術分野における成熟した記憶媒体内に位置することができる。
【０１２３】
さらに、通信ボードのすべてのハードウェア構成要素は、バスシステム６０００を用いることによって一緒に結合され、バスシステム６０００はさらに、データバスに加えて電源バス、制御バス、およびステータス信号バスを含むことができる。しかし説明を明瞭にするために、図６では様々なバスはバスシステム６０００として表示される。
【０１２４】
さらに、通信ボードのイーサネットインターフェースは、少なくとも１つのイーサネットサブインターフェースを含み、各イーサネットサブインターフェースは一意のＭＡＣアドレスを有し、通信ボードのイーサネットサブインターフェースは、イーサネットスイッチングチップ内のＴＤＭサービススイッチングモジュールに接続される。
【０１２５】
受信機６２は、イーサネットサブインターフェースから、イーサネットスイッチングチップ内のＴＤＭサービススイッチングモジュールによって送出された各イーサネットフレームを受信するように特に構成される。
【０１２６】
さらに、通信ボードは、ＴＤＭサービス処理モジュールを有するＴＤＭサービスボード、またはＴＤＭサービス処理モジュールを有するＯＴＮラインボードである。
【０１２７】
実施方法の上記の説明に基づいて当業者は、本発明が、必要な一般的なハードウェアに加えてソフトウェアによって、またはハードウェアのみによって実施され得ることを明瞭に理解することができる。ほとんどの場合において前者が好ましい実施方法である。このような理解に基づいて、本質的に本発明の技術的解決策、または従来技術に寄与する部分は、ソフトウェア製品の形で実施され得る。ソフトウェア製品は、フロッピーディスク、コンピュータのハードディスクまたは光ディスクなどの可読記憶媒体に記憶され、コンピュータデバイス（これはパーソナルコンピュータ、サーバ、またはネットワークデバイスとすることができる）に、本発明の実施形態において述べられた方法を行うように指示するための複数の命令を含む。
【０１２８】
上記の説明は単に本発明の特定の実施方法であるが、本発明の保護範囲を限定するものではない。本発明において開示された技術的範囲において当業者によって容易に考え出されるいずれの変形または置き換えも、本発明の保護範囲に包含されるものである。したがって、本発明の保護範囲は、特許請求の範囲の保護範囲を前提としなければならない。
【図１】
2016502824.tif 000005
【図２】
2016502824.tif 000006
【図２ａ】
2016502824.tif 000007
【図３】
2016502824.tif 000008
【図３ａ】
2016502824.tif 000009
【図４】
2016502824.tif 000010
【図５】
2016502824.tif 000011
【図６】
2016502824.tif 000012
【手続補正書】
【提出日】平成27年7月16日(2015.7.16)
【手続補正１】
【補正対象書類名】明細書
【補正対象項目名】０００２
【補正方法】変更
【補正の内容】
【０００２】
パケットサービスおよび時分割多重（Ｔｉｍｅ Ｄｉｖｉｓｉｏｎ  Ｍｕｌｔｉｐｌｅｘｉｎｇ、ＴＤＭ）サービスが光伝送ネットワーク（Ｏｐｔｉｃａｌ  Ｔｒａｎｓｐｏｒｔ  Ｎｅｔｗｏｒｋ、ＯＴＮ）において送信されるときに、パケットサービスおよびＴＤＭサービスを送信するために異なるＯＴＮデバイスが採用された場合は、パケットサービスとＴＤＭサービスは異なるデバイスを用いることによって切り換えられる必要があり、複雑なデバイス形態、およびデバイスリソースの無駄を生じる。
【手続補正２】
【補正対象書類名】明細書
【補正対象項目名】０００３
【補正方法】変更
【補正の内容】
【０００３】
１つのデバイス上でパケットサービスおよびＴＤＭサービスを送信するために、従来技術ではＴＤＭサービスをパケットにカプセル化し、ＴＤＭサービスがカプセル化されたパケットを、パケットサービスがカプセル化されたパケットと一緒に送信することができる回路エミュレーションサービス（Ｃｉｒｃｕｉｔ  Ｅｍｕｌａｔｉｏｎ  Ｓｅｒｖｉｃｅ、ＣＥＳ）技術がもたらされる。しかしＴＤＭサービスおよびパケットサービスが一緒に送信されるときは、用いられる伝送経路は同じであるので、伝送プロセス時に同じデバイスを用いることによって、パケットサービスおよびＴＤＭサービスが別のデバイスに切り換えられるときには、パケットサービスにおける伝送遅延の不確かさによりパケットサービスによって要求される切り換え時間の不確かさは比較的大きく、ＴＤＭサービスは絶えず送信されなければならないという特性によりＴＤＭサービスはまた切り換え時間の不確かさを吸収するために大きなバッファを必要とし、それによってＴＤＭサービスの伝送遅延を増加させる。
【手続補正３】
【補正対象書類名】明細書
【補正対象項目名】０００５
【補正方法】変更
【補正の内容】
【０００５】
上記の目的を達成するために、本発明では以下の技術的解決策が採用される。
【手続補正４】
【補正対象書類名】明細書
【補正対象項目名】００４２
【補正方法】変更
【補正の内容】
【００４２】
例えば、第１の通信ボードのイーサネットインターフェースの速度が１０ＧＥであり、サポートされる最大帯域幅が１０Ｇｂｐｓ（符号化効率は考慮されない）であるときは、イーサネットインターフェースは、２０個のサブインターフェースに均等に分割され、各サブインターフェースの帯域幅は５００Ｍｂｐｓであり、スライス内のＯＤＵデータによって占有される最大帯域幅は１．３１Ｇｂｐｓである。スライス内のＯＤＵデータは、伝送のために３つのサブインターフェースを占有する必要があり、各サブインターフェースの実際に占有される帯域幅は１．３１Ｇｂｐｓ／３＝４３７Ｍｂｐｓである。その結果、固定周波数の最小値は、５００Ｍｂｐｓ／（１５３８バイト×８）＝４０．６千回／秒であり、１５３８バイトは以下の式を用いることによって得られ、すなわち最大イーサネットフレーム長さ＋フレーム間ギャップによって占有されるバイト数＋フレームデリミタのプリアンブル／スタートによって占有されるバイト数であり、最大イーサネットフレーム長さは１５１８バイトを占有し、フレーム間ギャップおよびフレームデリミタのプリアンブル／スタートは２０バイトを占有する。固定フレーム周波数の最大値は次の通りであり、すなわちイーサネットフレーム長さが３３０バイトであるときは、得られるフレーム周波数値は５００Ｍｂｐｓ／（３５０バイト×８）＝１７８．６千回／秒であり、３５０バイトのうちでイーサネットフレーム長さは３３０バイトを占有し、フレーム間ギャップおよびフレームデリミタのプリアンブル／スタートは２０バイトを占有する。この場合は、ペイロード領域によって占有される帯域幅（ペイロード領域はＯＤＵデータを担持するために用いられる）は、正確に４３７Ｍｂｐｓである。
【手続補正５】
【補正対象書類名】特許請求の範囲
【補正対象項目名】全文
【補正方法】変更
【補正の内容】
【特許請求の範囲】
【請求項１】
第２の通信ボードと同じデバイス上に位置する第１の通信ボードに適用されるデータ処理方法であって、
前記第１の通信ボードによって、光チャネルデータユニット（ＯＤＵ）データフローを獲得するステップ（１０１）と、
前記第１の通信ボードによって、様々なスライスを取得するために固定フレーム周波数に従って前記ＯＤＵデータフローにスライス処理を行うステップ（１０２）であって、各スライスは前記ＯＤＵデータフローにおける連続したＯＤＵデータのセクションを備える、ステップと、
前記第１の通信ボードによって、各スライスをイーサネットフレームに別々にカプセル化するステップ（１０３）であって、前記イーサネットフレームは少なくとも宛先メディアアクセス制御（ＭＡＣ）アドレスおよびペイロード領域を担持し、前記宛先ＭＡＣアドレスは前記第２の通信ボードを指し示し、前記ペイロード領域は前記スライス内の前記ＯＤＵデータおよび前記スライスのシリアル番号を記憶するために用いられる、ステップと、
前記第１の通信ボードによって各イーサネットフレームを、イーサネットスイッチングチップ内の時分割多重（ＴＤＭ）サービススイッチングモジュールに送出し、それにより前記ＴＤＭサービススイッチングモジュールは各イーサネットフレームを、前記イーサネットフレーム内に担持される前記宛先ＭＡＣアドレスが指し示す前記第２の通信ボードに送出するステップ（１０４）と
を含むことを特徴とするデータ処理方法。
【請求項２】
前記第１の通信ボードのイーサネットインターフェースおよび前記第２の通信ボードのイーサネットインターフェースは共に、少なくとも１つのイーサネットサブインターフェースを備え、各イーサネットサブインターフェースは一意のＭＡＣアドレスを有し、前記第１の通信ボードおよび前記第２の通信ボードの前記イーサネットサブインターフェースは、前記イーサネットスイッチングチップ内の前記ＴＤＭサービススイッチングモジュールに接続され、
前記第１の通信ボードによって各イーサネットフレームを、イーサネットスイッチングチップ内のＴＤＭサービススイッチングモジュールに送出し、それにより前記ＴＤＭサービススイッチングモジュールは各イーサネットフレームを、前記イーサネットフレーム内に担持される前記宛先ＭＡＣアドレスが指し示す前記第２の通信ボードに送出する前記ステップは、
前記第１の通信ボードによって各イーサネットフレームを、前記第１の通信ボード上の前記少なくとも１つのイーサネットサブインターフェースを通して、前記イーサネットスイッチングチップ内の前記ＴＤＭサービススイッチングモジュールに送出し、それにより前記ＴＤＭサービススイッチングモジュールは各イーサネットフレームを、前記イーサネットフレーム内に担持される前記宛先ＭＡＣアドレスが指し示す前記第２の通信ボードのイーサネットサブインターフェースに送出するステップを含むことを特徴とする請求項１に記載の方法。
【請求項３】
データ処理方法であって、
第２の通信ボードによって、イーサネットスイッチングチップ内の時分割多重（ＴＤＭ）サービススイッチングモジュールによって送出された各イーサネットフレームを受信するステップであって、前記イーサネットフレームは少なくとも宛先メディアアクセス制御（ＭＡＣ）アドレスおよびペイロード領域を担持し、前記宛先ＭＡＣアドレスは前記第２の通信ボードを指し示し、前記ペイロード領域はスライス内の光チャネルデータユニット（ＯＤＵ）データおよび前記スライスのシリアル番号を記憶するために用いられる、ステップと、
前記第２の通信ボードによって、イーサネットフレームをカプセル化解除して前記スライスの前記シリアル番号および前記スライス内の前記ＯＤＵデータを取得するカプセル化解除ステップ（１０７）と、
前記第２の通信ボードによって、前記スライスの前記シリアル番号に従って、前記スライス内の前記ＯＤＵデータを順番に配置するステップ（１０８）と、
前記第２の通信ボードによって、固定フレーム周波数に従って、前記順番に配置された、前記スライス内のＯＤＵデータをＯＤＵデータフローに復元するステップ（１０９）であって、前記固定フレーム周波数はスライス処理において採用された固定フレーム周波数である、ステップと
を含むことを特徴とするデータ処理方法。
【請求項４】
前記第２の通信ボードのイーサネットインターフェースは、少なくとも１つのイーサネットサブインターフェースを備え、各イーサネットサブインターフェースは一意のＭＡＣアドレスを有し、前記第２の通信ボードの前記イーサネットサブインターフェースは、前記イーサネットスイッチングチップ内の前記ＴＤＭサービススイッチングモジュールに接続され、
第２の通信ボードによって、イーサネットスイッチングチップ内の前記ＴＤＭサービススイッチングモジュールによって送出されたイーサネットフレームを受信する前記ステップは、
前記第２の通信ボードによって、前記イーサネットサブインターフェースから、前記イーサネットスイッチングチップ内の前記ＴＤＭサービススイッチングモジュールによって送出されたイーサネットフレームを受信するステップを含むことを特徴とする請求項３に記載の方法。
【請求項５】
通信ボードであって、
光チャネルデータユニット（ＯＤＵ）データフローを獲得するように構成された獲得ユニット（２１）と、
様々なスライスを取得するために固定フレーム周波数に従って前記ＯＤＵデータフローにスライス処理を行うように構成されたスライスユニット（２２）であって、各スライスは前記ＯＤＵデータフローにおける連続したＯＤＵデータのセクションを備える、スライスユニット（２２）と、
各スライスをイーサネットフレームに別々にカプセル化するように構成されたカプセル化ユニット（２３）であって、前記イーサネットフレームは少なくとも宛先メディアアクセス制御（ＭＡＣ）アドレスおよびペイロード領域を担持し、前記宛先ＭＡＣアドレスは第２の通信ボードを指し示し、前記ペイロード領域は前記スライス内の前記ＯＤＵデータおよび前記スライスのシリアル番号を記憶するために用いられる、カプセル化ユニット（２３）と、
各イーサネットフレームを、イーサネットスイッチングチップ内の時分割多重（ＴＤＭ）サービススイッチングモジュールに送出するように構成され、それにより前記ＴＤＭサービススイッチングモジュールは各イーサネットフレームを、前記イーサネットフレーム内に担持される前記宛先ＭＡＣアドレスが指し示す前記第２の通信ボードに送出する、送出ユニット（２４）であって、前記イーサネットスイッチングチップは、パケットサービスにスイッチング処理を行うように構成されたパケットサービススイッチングモジュールをさらに備える、送出ユニット（２４）と
を備えることを特徴とする通信ボード。
【請求項６】
前記通信ボードのイーサネットインターフェースは、少なくとも１つのイーサネットサブインターフェースを備え、各イーサネットサブインターフェースは一意のＭＡＣアドレスを有し、前記通信ボードの前記イーサネットサブインターフェースは、前記イーサネットスイッチングチップ内の前記ＴＤＭサービススイッチングモジュールに接続され、
前記送出ユニットは各イーサネットフレームを、前記少なくとも１つのイーサネットサブインターフェースを通して、前記イーサネットスイッチングチップ内の前記ＴＤＭサービススイッチングモジュールに送出するように特に構成されることを特徴とする請求項５に記載の通信ボード。
【請求項７】
前記通信ボードは、ＴＤＭサービス処理モジュールを有するＴＤＭサービスボード、またはＴＤＭサービス処理モジュールを有するＯＴＮラインボードであることを特徴とする請求項５に記載の通信ボード。
【請求項８】
通信ボードであって、
イーサネットスイッチングチップ内の時分割多重（ＴＤＭ）サービススイッチングモジュールによって送出された各イーサネットフレームを受信するように構成された受信ユニット（３１）であって、前記イーサネットフレームは少なくとも宛先メディアアクセス制御（ＭＡＣ）アドレスおよびペイロード領域を担持し、前記宛先ＭＡＣアドレスは前記通信ボードを指し示し、前記ペイロード領域はスライス内の光チャネルデータユニット（ＯＤＵ）データおよび前記スライスのシリアル番号を記憶するために用いられる、受信ユニット（３１）と、
イーサネットフレームをカプセル化解除して、前記スライスの前記シリアル番号および前記スライス内の前記ＯＤＵデータを取得するように構成されたカプセル化解除ユニット（３２）と、
前記スライスの前記シリアル番号に従って、前記スライス内の前記ＯＤＵデータを順番に配置するように構成されたソートユニット（３３）と、
前記順番に配置された、前記スライス内のＯＤＵデータを、固定フレーム周波数に従ってＯＤＵデータフローに復元するように構成された復元処理ユニット（３４）であって、前記固定フレーム周波数はスライス処理において採用された固定フレーム周波数である、復元処理ユニット（３４）と
を備えることを特徴とする通信ボード。
【請求項９】
前記通信ボードのイーサネットインターフェースは少なくとも１つのイーサネットサブインターフェースを備え、各イーサネットサブインターフェースは一意のＭＡＣアドレスを有し、前記通信ボードの前記イーサネットサブインターフェースは、前記イーサネットスイッチングチップ内の前記ＴＤＭサービススイッチングモジュールに接続され、
前記受信ユニットは、前記イーサネットサブインターフェースから、前記イーサネットスイッチングチップ内の前記ＴＤＭサービススイッチングモジュールによって送出されたイーサネットフレームを受信するように特に構成されることを特徴とする請求項８に記載の通信ボード。
【請求項１０】
前記通信ボードは、ＴＤＭサービス処理モジュールを有するＴＤＭサービスボード、またはＴＤＭサービス処理モジュールを有するＯＴＮラインボードであることを特徴とする請求項８に記載の通信ボード。
【請求項１１】
データスイッチングデバイスであって、
イーサネットインターフェース（４１０）を有するパケットサービスボード（４１）と、
それぞれがイーサネットインターフェースを有する、第１の通信ボード（４３）および第２の通信ボード（４４）と、
パケットサービススイッチングモジュール（４２１）および時分割多重（ＴＤＭ）サービススイッチングモジュール（４２２）を備えるイーサネットスイッチングチップ（４２）であって、前記パケットサービススイッチングモジュール（４２１）は、前記パケットサービスボード（４１）の前記イーサネットインターフェース（４１０）に接続され、前記ＴＤＭサービススイッチングモジュール（４２２）は、前記第１の通信ボード（４３）および前記第２の通信ボード（４４）の前記イーサネットインターフェース（４３０，４４０）に接続される、イーサネットスイッチングチップ（４２）と
を備え、
前記パケットサービスボード（４１）は、前記パケットサービススイッチングモジュール（４２１）にパケットサービスデータを送出する、または前記パケットサービススイッチングモジュール（４２１）によって送出されたパケットサービスデータを受信する、またはパケットサービスデータに処理を行うように構成され、
前記イーサネットスイッチングチップ（４２）内の前記パケットサービススイッチングモジュール（４２１）は、前記パケットサービスボード（４１）によって送出されたパケットサービスデータを受信し、前記パケットサービスデータを目標パケットサービスボードに送出するように構成され、
前記第１の通信ボード（４３）は、光チャネルデータユニット（ＯＤＵ）データフローを獲得すること、様々なスライスを取得するために固定フレーム周波数に従って前記ＯＤＵデータフローにスライス処理を行うことであって、各スライスは前記ＯＤＵデータフローにおける連続したＯＤＵデータのセクションを備える、スライス処理を行うこと、各スライスをイーサネットフレームに別々にカプセル化することであって、各イーサネットフレームは少なくとも宛先メディアアクセス制御（ＭＡＣ）アドレスおよびペイロード領域を担持し、前記宛先ＭＡＣアドレスは前記第２の通信ボード（４４）を指し示し、前記ペイロード領域は前記スライス内の前記ＯＤＵデータおよび前記スライスのシリアル番号を記憶するために用いられる、カプセル化すること、および各イーサネットフレームを前記ＴＤＭサービススイッチングモジュール（４２２）に送出すること、を行うように構成され、
前記イーサネットスイッチングチップ（４２）内の前記ＴＤＭサービススイッチングモジュール（４２２）は、前記第１の通信ボード（４３）によって送出された各イーサネットフレームを受信し、各イーサネットフレームを、前記イーサネットフレーム内に担持される前記宛先ＭＡＣアドレスが指し示す前記第２の通信ボード（４４）に送出するように構成され、
前記第２の通信ボード（４４）は、前記イーサネットスイッチングチップ（４２）内の前記ＴＤＭサービススイッチングモジュール（４２２）によって送出された各イーサネットフレームを受信し、イーサネットフレームをカプセル化解除して前記スライスの前記シリアル番号および前記スライス内の前記ＯＤＵデータを取得し、前記スライスの前記シリアル番号に従って前記スライス内の前記ＯＤＵデータを順番に配置し、前記順番に配置された、前記スライス内のＯＤＵデータを、固定フレーム周波数に従ってＯＤＵデータフローに復元するように構成され、前記固定フレーム周波数はスライス処理において採用された固定フレーム周波数であることを特徴とするデータスイッチングデバイス。
【請求項１２】
前記第１の通信ボードの前記イーサネットインターフェースは少なくとも１つのイーサネットサブインターフェースを備え、各イーサネットサブインターフェースは一意のＭＡＣアドレスを有し、前記イーサネットサブインターフェースは、前記イーサネットスイッチングチップ内の前記ＴＤＭサービススイッチングモジュールに接続され、
前記第１の通信ボードは各イーサネットフレームを、前記少なくとも１つのイーサネットサブインターフェースを通して、前記イーサネットスイッチングチップ内の前記ＴＤＭサービススイッチングモジュールに送出するように特に構成されることを特徴とする請求項１１に記載のデータスイッチングデバイス。
【請求項１３】
前記第２の通信ボードの前記イーサネットインターフェースは少なくとも１つのイーサネットサブインターフェースを備え、各イーサネットサブインターフェースは一意のＭＡＣアドレスを有し、前記イーサネットサブインターフェースは、前記イーサネットスイッチングチップ内の前記ＴＤＭサービススイッチングモジュールに接続され、
前記第２の通信ボードは、前記イーサネットサブインターフェースから、前記イーサネットスイッチングチップ内の前記ＴＤＭサービススイッチングモジュールによって送出された各イーサネットフレームを受信するように特に構成されることを特徴とする請求項１１に記載のデータスイッチングデバイス。
【請求項１４】
前記第１の通信ボードは、ＴＤＭサービス処理モジュールを有するＴＤＭサービスボード、またはＴＤＭサービス処理モジュールを有するＯＴＮラインボードであり、
前記第２の通信ボードは、ＴＤＭサービス処理モジュールを有するＴＤＭサービスボード、またはＴＤＭサービス処理モジュールを有するＯＴＮラインボードであることを特徴とする請求項１１に記載のデータスイッチングデバイス。
【請求項１５】
通信ボードであって、
光チャネルデータユニット（ＯＤＵ）データフローを獲得するように構成された受信機（５２）と、
様々なスライスを取得するために固定フレーム周波数に従って前記ＯＤＵデータフローにスライス処理を行うように構成されたプロセッサ（５１）であって、各スライスは前記ＯＤＵデータフローにおける連続したＯＤＵデータのセクションを備え、
前記プロセッサ（５１）は、各スライスをイーサネットフレームに別々にカプセル化するようにさらに構成され、前記イーサネットフレームは少なくとも宛先メディアアクセス制御（ＭＡＣ）アドレスおよびペイロード領域を担持し、前記宛先ＭＡＣアドレスは第２の通信ボードを指し示し、前記ペイロード領域は前記スライス内の前記ＯＤＵデータおよび前記スライスのシリアル番号を記憶するために用いられる、プロセッサ（５１）と、
各イーサネットフレームを、イーサネットスイッチングチップ内の時分割多重（ＴＤＭ）サービススイッチングモジュールに送出するように構成され、それにより前記ＴＤＭサービススイッチングモジュールは各イーサネットフレームを、前記イーサネットフレーム内に担持される前記宛先ＭＡＣアドレスが指し示す前記第２の通信ボードに送出する、送信機（５３）であって、前記イーサネットスイッチングチップは、パケットサービスにスイッチング処理を行うように構成されたパケットサービススイッチングモジュールをさらに備える、送信機（５３）と
を備えることを特徴とする通信ボード。
【請求項１６】
前記通信ボードのイーサネットインターフェースは少なくとも１つのイーサネットサブインターフェースを備え、各イーサネットサブインターフェースは一意のＭＡＣアドレスを有し、前記通信ボードの前記イーサネットサブインターフェースは、前記イーサネットスイッチングチップ内の前記ＴＤＭサービススイッチングモジュールに接続され、
前記送信機は各イーサネットフレームを、前記少なくとも１つのイーサネットサブインターフェースを通して、前記イーサネットスイッチングチップ内の前記ＴＤＭサービススイッチングモジュールに送出するように特に構成されることを特徴とする請求項１５に記載の通信ボード。
【請求項１７】
前記通信ボードは、ＴＤＭサービス処理モジュールを有するＴＤＭサービスボード、またはＴＤＭサービス処理モジュールを有するＯＴＮラインボードであることを特徴とする請求項１５に記載の通信ボード。
【請求項１８】
通信ボードであって、
イーサネットスイッチングチップ内の時分割多重（ＴＤＭ）サービススイッチングモジュールによって送出された各イーサネットフレームを受信するように構成された受信機（６２）であって、前記イーサネットフレームは少なくとも宛先メディアアクセス制御（ＭＡＣ）アドレスおよびペイロード領域を担持し、前記宛先ＭＡＣアドレスは前記通信ボードを指し示し、前記ペイロード領域はスライス内の光チャネルデータユニット（ＯＤＵ）データおよび前記スライスのシリアル番号を記憶するために用いられる、受信機（６２）と、
イーサネットフレームをカプセル化解除して、前記スライスの前記シリアル番号および前記スライス内の前記ＯＤＵデータを取得するように構成されたプロセッサ（６１）と
を備え、
前記プロセッサ（６１）は、前記スライスの前記シリアル番号に従って、前記スライス内の前記ＯＤＵデータを順番に配置するようにさらに構成され、
前記プロセッサ（６１）は、前記順番に配置された、前記スライス内のＯＤＵデータを、固定フレーム周波数に従ってＯＤＵデータフローに復元するようにさらに構成され、前記固定フレーム周波数はスライス処理において採用された固定フレーム周波数であることを特徴とする通信ボード。
【請求項１９】
前記通信ボードのイーサネットインターフェースは少なくとも１つのイーサネットサブインターフェースを備え、各イーサネットサブインターフェースは一意のＭＡＣアドレスを有し、前記通信ボードの前記イーサネットサブインターフェースは、前記イーサネットスイッチングチップ内の前記ＴＤＭサービススイッチングモジュールに接続され、
前記受信機は、前記イーサネットサブインターフェースから、前記イーサネットスイッチングチップ内の前記ＴＤＭサービススイッチングモジュールによって送出された各イーサネットフレームを受信するように特に構成されることを特徴とする請求項１８に記載の通信ボード。
【請求項２０】
前記通信ボードは、ＴＤＭサービス処理モジュールを有するＴＤＭサービスボード、またはＴＤＭサービス処理モジュールを有するＯＴＮラインボードであることを特徴とする請求項１８に記載の通信ボード。
【国際調査報告】
2016502824.tif 000013
2016502824.tif 000014
2016502824.tif 000015
2016502824.tif 000016
2016502824.tif 000017
2016502824.tif 000018